(57)【要約】      （修正有）【課題】延長端子を備え、壁などからの突出量を少なくすることにより、設備等の配置の妨げにならない埋込式コンセントを提供する。【解決手段】壁２などの施工面に設置されるコンセントであって、前記施工面の内側を通って電源に接続している電源線を接続するための電源端子と、電気コードのプラグを接続するためのプラグ接続端子と、前記施工面から離れた場所に電源を供給するための延長線７を接続可能な延長端子と、電気的に接続する回路部と、ケース４とを有し、前記電源線が前記電源線挿入孔に挿入されて前記電源端子に接続されたとき、前記プラグ差込口及び前記延長線挿入孔１１が露出するように前記施工面に埋め込んで設置される。【選択図】  図１
2005019355.tif 000002
【特許請求の範囲】
【請求項１】
壁などの施工面に設置されるコンセントにおいて、前記施工面の内側を通って電源に接続している電源線を接続するための電源端子と、電気コードのプラグを接続するためのプラグ接続端子と、前記施工面から離れた場所に電源を供給するための延長線を接続可能な延長端子と、前記電源端子と前記プラグ接続端子と前記延長端子とを電気的に接続する回路部と、前記電源端子と前記プラグ接続端子と前記延長端子と前記回路部とを収容するケースとを有し、
前記ケースは、前記電源端子に対応する位置に前記電源線が挿入可能な電源線挿入孔を、前記プラグ接続端子に対応する位置に前記プラグが差し込み可能なプラグ差込口を、前記延長端子に対応する位置に前記延長線が挿入可能な延長線挿入孔をそれぞれ有し、前記電源線が前記電源線挿入孔に挿入されて前記電源端子に接続されたとき、前記プラグ差込口及び前記延長線挿入孔が露出するように前記施工面に埋め込んで設置される
ことを特徴とするコンセント。
【請求項２】
請求項１記載のコンセントにおいて、前記電源端子と前記プラグ接続端子と前記延長端子は、互いに対応して複数備えられ、
前記回路部は、互いに対応している前記電源端子と前記プラグ接続端子と前記延長端子とを接続する複数の回路部材からなることを特徴とするコンセント。
【請求項３】
請求項１又は２記載のコンセントにおいて、前記ケースは、前記施工面に設置されたとき、前記プラグ差込口を露出させる差込口露出窓と前記延長線を挿通させる延長線挿通部とを備えたコンセントカバーによって覆われることを特徴とするコンセント。
【請求項４】
壁などの施工面に設置されるコンセントにおいて、前記施工面の内側を通って電源に接続している電源線を接続するための電源端子と、前記施工面から離れた場所に電源を供給するための延長線を接続可能な延長端子と、前記電源端子と前記延長端子とを電気的に接続する回路部と、前記電源端子と前記延長端子と前記回路部とを収容するケースとを有し、
前記ケースは、前記電源端子に対応する位置に前記電源線が挿入可能な電源線挿入孔を有し、前記延長端子に対応する位置に前記延長線が挿入可能な延長線挿入孔を有し、前記電源線が前記電源線挿入孔を通って前記電源端子に接続されたとき、前記延長線挿入孔が露出するように前記施工面に埋め込んで設置される
ことを特徴とするコンセント。
【請求項５】
請求項４記載のコンセントにおいて、前記電源端子と前記延長端子は、互いに対応して複数備えられ、
前記回路部は、互いに対応している前記電源端子と前記延長端子とを接続する複数の回路部材からなることを特徴とするコンセント。
【請求項６】
請求項５又は６記載のコンセントにおいて、前記ケースは、前記施工面に設置されたとき、前記延長線を挿通させる延長線挿通部を備えたコンセントカバーによって覆われることを特徴とするコンセント。
【請求項７】
請求項１乃至６のいずれか記載のコンセントにおいて、前記電源線挿入孔は、前記電源線を覆っている絶縁被覆と同径又はそれより大径の孔と、該孔の奥部に設けられ、前記絶縁被覆より小径で前記電源線が挿通可能な接続孔とからなることを特徴とするコンセント。
【請求項８】
壁などの施工面に設置されるコンセントにおいて、電気コードのプラグを接続するためのプラグ接続端子と、一端が電源に接続されている延長線を接続可能な延長端子と、前記プラグ接続端子と前記延長端子とを電気的に接続する回路部と、前記プラグ接続端子と前記延長端子と前記回路部とを収容するケースとを有し、
前記ケースは、前記プラグ接続端子に対応する位置に前記プラグが差し込み可能なプラグ差込口を有し、前記延長端子に対応する位置に前記延長線が挿入可能な延長線挿入孔を有し、前記プラグ差込口及び前記延長線挿入孔が露出するように前記施工面に埋め込んで設置される
ことを特徴とするコンセント。
【請求項９】
請求項８記載のコンセントにおいて、前記プラグ接続端子と前記延長端子は、互いに対応して複数備えられ、
前記回路部は、互いに対応している前記プラグ接続端子と前記延長端子とを接続する複数の回路部材からなることを特徴とするコンセント。
【請求項１０】
請求項８又は９記載のコンセントにおいて、前記ケースは、前記施工面に設置されたとき、前記プラグ差込口を露出させる差込口露出窓と前記延長線を挿通させる延長線挿通部とを備えたコンセントカバーによって覆われることを特徴とするコンセント。
【請求項１１】
請求項１乃至１０のいずれか記載のコンセントにおいて、前記延長線挿入孔は、前記延長線を覆っている絶縁被覆と同径又はそれより大径の孔と、該孔の奥部に設けられ、前記絶縁被覆より小径で前記延長線が挿通可能な接続孔とからなることを特徴とするコンセント。
【発明の詳細な説明】
【０００１】
【発明の属する技術分野】
本発明は、壁などに設置されるコンセントに関する。
【０００２】
【従来の技術】
一般に、電気機器を使用するのに必要な電源は、壁などに設置されているコンセントから供給される。壁などに設置されているコンセントは、電気コードのプラグを差し込むための口（以下「プラグ差込口」という。）を備えたケースに収容されており、この表面が壁などから僅か（例えば、５ｍｍ）に突出するようにケースの大部分を壁などに埋め込んで設置されることから埋込式コンセントと呼ばれている。
【０００３】
埋込式コンセントは、建物を建てるときに壁などに予め設置されるが、使用したい電気機器の数が増加すると、プラグ差込口の数が不足することとなる。そこで、プラグ差込口の数を増やすために、複数組のプラグ差込口を備えたコンセントに接続しているコード（以下「延長コード」という。）を使用したり、既設の埋込式コンセントを取外し、延長用の電線（以下「延長線」という。）を接続可能な露出コンセントに付け替え、電源が必要な離れた場所まで敷設した延長線の端にコンセントを設置することなどが行われている。
【０００４】
露出コンセントは、一又は複数組のプラグ差込口を備えたケースに収められおり、そのケース全体が露出した状態で壁面などに設置される。露出コンセントには、延長コードのように延長線の先に設置して使用するタイプ（以下「Ａタイプ」という。）と、電気コードのプラグを接続するためのプラグ接続端子と、延長線を接続するための端子（以下「延長端子」という。）とを備え、既存の埋込式コンセントと交換するタイプ（以下「Ｂタイプ」という。）とがある。
【０００５】
Ａタイプの露出コンセントは、例えば、特許文献１に記載されている。
【０００６】
Ｂタイプの露出コンセントは、ケースの背面、すなわち壁面等に接する面に孔が開けてあり、設置するときは、既存の埋込式コンセントを取外した後に、壁等の内部を通って電源に接続し又はアースされている電線（以下「電源線」という。）をケース背面の孔からケース内に引き込んで、その電源線がプラグ接続端子と延長端子とに接続される。Ｂタイプの露出コンセントは、壁面等からケースの厚み分（例えば、５ｃｍ以上）突出した状態で設置される。
【０００７】
【特許文献１】
特開２００２−１３４２１６号公報
【０００８】
【発明が解決しようとする課題】
上記のように、延長端子を備えたコンセントを設置するときは、従来のＢタイプの露出コンセントを利用する以外に方法がなかった。しかしながら、Ｂタイプの露出コンセントは、壁などに設置されたときに少なくともケースの厚み分突出するため、美観を損なったり、設備等（例えば、デスク）の配置の妨げになったりするなどの問題がある。
【０００９】
本発明の目的は、延長端子を備え、且つ壁などからの突出量を少なくすることにより、美観を維持し、設備等の配置の妨げにならない埋込式コンセントを提供することである。
【００１０】
【課題を解決するための手段】
本発明のコンセントは、壁などの施工面に設置されるコンセントであって、前記施工面の内側を通って電源に接続している電源線を接続するための電源端子と、電気コードのプラグを接続するためのプラグ接続端子と、前記施工面から離れた場所に電源を供給するための延長線を接続可能な延長端子と、前記電源端子と前記プラグ接続端子と前記延長端子とを電気的に接続する回路部と、前記電源端子と前記プラグ接続端子と前記延長端子と前記回路部とを収容するケースとを有し、前記ケースは、前記電源端子に対応する位置に前記電源線が挿入可能な電源線挿入孔を、前記プラグ接続端子に対応する位置に前記プラグが差し込み可能なプラグ差込口を、前記延長端子に対応する位置に前記延長線が挿入可能な延長線挿入孔をそれぞれ有し、前記電源線が前記電源線挿入孔に挿入されて前記電源端子に接続されたとき、前記プラグ差込口及び前記延長線挿入孔が露出するように前記施工面に埋め込んで設置されることを特徴とする。
【００１１】
本発明の具体的態様は、前記電源端子と前記プラグ接続端子と前記延長端子は、互いに対応して複数備えられ、前記回路部は、互いに対応している前記電源端子と前記プラグ接続端子と前記延長端子とを接続する複数の回路部材からなる。
【００１２】
本発明の具体的態様は、前記ケースは、前記施工面に設置されたとき、前記プラグ差込口を露出させる差込口露出窓と前記延長線を挿通させる延長線挿通部とを備えたコンセントカバーによって覆われる。
【００１３】
本発明の別のコンセントは、壁などの施工面に設置されるコンセントであって、前記施工面の内側を通って電源に接続している電源線を接続するための電源端子と、前記施工面から離れた場所に電源を供給するための延長線を接続可能な延長端子と、前記電源端子と前記延長端子とを電気的に接続する回路部と、前記電源端子と前記延長端子と前記回路部とを収容するケースとを有し、前記ケースは、前記電源端子に対応する位置に前記電源線が挿入可能な電源線挿入孔を有し、前記延長端子に対応する位置に前記延長線が挿入可能な延長線挿入孔を有し、前記電源線が前記電源線挿入孔を通って前記電源端子に接続されたとき、前記延長線挿入孔が露出するように前記施工面に埋め込んで設置されることを特徴とする。
【００１４】
本発明の具体的態様は、前記電源端子と前記延長端子は、互いに対応して複数備えられ、前記回路部は、互いに対応している前記電源端子と前記延長端子とを接続する複数の回路部材からなる。
【００１５】
本発明の具体的態様は、前記ケースは、前記施工面に設置されたとき、前記延長線を挿通させる延長線挿通部を備えたコンセントカバーによって覆われる。
【００１６】
また、前記電源線挿入孔は、前記電源線を覆っている絶縁被覆と同径又はそれより大径の孔と、該孔の奥部に設けられ、前記絶縁被覆より小径で前記電源線が挿通可能な接続孔とからなる。
【００１７】
本発明のさらに別にコンセントは、壁などの施工面に設置されるコンセントにおいて、電気コードのプラグを接続するためのプラグ接続端子と、一端が電源に接続されている延長線を接続可能な延長端子と、前記プラグ接続端子と前記延長端子とを電気的に接続する回路部と、前記プラグ接続端子と前記延長端子と前記回路部とを収容するケースとを有し、前記ケースは、前記プラグ接続端子に対応する位置に前記プラグが差し込み可能なプラグ差込口を有し、前記延長端子に対応する位置に前記延長線が挿入可能な延長線挿入孔を有し、前記プラグ差込口及び前記延長線挿入孔が露出するように前記施工面に埋め込んで設置されることを特徴とする。
【００１８】
本発明の具体的態様は、前記プラグ接続端子と前記延長端子は、互いに対応して複数備えられ、前記回路部は、互いに対応している前記プラグ接続端子と前記延長端子とを接続する複数の回路部材からなる。
【００１９】
本発明の具体的態様は、前記ケースは、前記施工面に設置されたとき、前記プラグ差込口を露出させる差込口露出窓と前記延長線を挿通させる延長線挿通部とを備えたコンセントカバーによって覆われる。
【００２０】
また、前記延長線挿入孔は、前記延長線を覆っている絶縁被覆と同径又はそれより大径の孔と、該孔の奥部に設けられ、前記絶縁被覆より小径で前記延長線が挿通可能な接続孔とからなる。
【００２１】
【作用及び効果】
本発明のコンセントによれば、壁などからの突出量を少なくするために所定の位置まで埋め込んで設置されることによって、美観を維持し且つ設備等の配置の妨げにならない状態で、延長端子に接続された延長線を介してコンセントの設置位置から離れた場所に電源を供給することができる。また、電気コードのプラグを接続可能なプラグ接続端子を備えており、延長端子に接続される延長線とは別個に電気機器に電源を供給することができる。
【００２２】
また、回路部は、互いに対応している電源端子とプラグ接続端子と延長端子とを接続する複数の回路部材を使用することができる。
【００２３】
また、プラグ差込口を露出させ且つ延長線を挿通させることができるコンセントカバーによって、壁などの施工面に設置されたケースを覆うことができる。これによって、コンセントを保護し、一層美観を維持することができる。
【００２４】
本発明の別形態のコンセントによれば、プラグ接続端子を備えていなくても、電源線が電源端子に接続された状態で壁などの施工面に埋め込むように設置されたときは、延長端子に接続される延長線を介してコンセントの設置位置から離れた場所に電源を供給することができる。
【００２５】
また、回路部は、互いに対応している電源端子と延長端子とを接続する複数の回路部材を使用すればよい。
【００２６】
また、延長線を挿通させることができるコンセントカバーによって、壁などの施工面に設置されたケースを覆うことができる。これによって、コンセントを保護し、一層美観を保つことができる。
【００２７】
また、電源線挿入孔は、電源線の絶縁被覆が挿通可能な孔と、該孔の奥部に設けられ、絶縁被覆より小径で電源線が挿通可能な接続孔とによって二段構成にすることができる。これにより、絶縁被覆を所定の位置まで剥がしてある電源線が電源線挿入孔に挿入されたときは、電源線が接続孔に挿通し、絶縁被覆の端部が電源線挿入孔の奥部で接続孔の周縁部に当接することになる。従って、電源線及び延長線がケースの外部で短絡するのを防止することができる。
【００２８】
本発明のさらに別形態のコンセントによれば、電源から離れた場所にある壁などの施工面に埋め込むように設置された状態で一端が電源に接続されている延長線を延長端子に接続することによって、電気機器に電源を供給することができる。
【００２９】
また、回路部は、互いに対応しているプラグ接続端子と延長端子とを接続する複数の回路部材を使用すればよい。
【００３０】
また、プラグ差込口を露出させ且つ延長線を挿通させることができるコンセントカバーによって、壁などの施工面に設置されたケースを覆うことができる。これによって、コンセントを保護し、一層美観を維持することができる。
【００３１】
また、延長線挿入孔は、電源線挿入孔と同様に二段構成の孔を採用することができる。これにより、延長線がケースの外部で短絡するのを防止することができる。
【００３２】
【発明の実施の形態】
図１は、本発明の実施例のコンセント１を部屋などの壁２に設置した状態を示す斜視図である。
【００３３】
実施例のコンセント１は、全体が樹脂製等のケース３に覆われ、このケース３を一般的な埋込式コンセントを設置するために壁２に設けてある穴に埋め込んで設置される。このため、コンセント１は、壁２の表面から、ケース３の一部が、従来の露出コンセントの突出量よりもはるかに少ない量（例えば、２ｃｍ以下）突出した状態となる。
【００３４】
コンセント１のケース３は、壁２に設置されたときに大部分が壁２の内部に埋め込まれた状態になる下部ケース４と、３端子用のプラグ差込口５ａ，５ｂ，５ｃを形成した上部ケース６とを上下（図では前後）に組み合わせて構成されている。上記のようにケース３が壁２に設置された状態では、上部ケース６の下方で下部ケース４の一部が壁２の表面側に現れる。尚、プラグ差込口の１つ（図では、下位のプラグ差込口５ｃ）は、アース端子の差込口である。
【００３５】
また、ケース３の下部には、コンセント１から離れた場所に電源を供給するための３本の延長線７を挿通可能な延長線挿入孔１１が、３本の延長線７に対応して左右に３つ設けられている。
【００３６】
延長線７は、ビニル等の絶縁被覆８で覆われた銅線等の線材から成り、その絶縁被覆８をコンセント１に接続する一端から所定の長さ（例えば、２ｃｍ）の位置まで剥がしてある。尚、３本の延長線７のうち１本（例えば、図では左側のもの）はアース用である。
【００３７】
ケース３の下部の３つの延長線挿入孔１１は、延長線７の絶縁被覆８と略同径で、ケース３が壁２に設置されたときに壁２と平行になるように形成されているため、図のように３本の延長線７が壁２に平行な向きでコンセント１に接続できるようになっている。
【００３８】
このコンセント１は、壁２の内部を通って電源に接続し又はアースされている電源線に接続した状態で壁２に設置され、上部ケース６の前面に設けられたプラグ差込口５ａ，５ｂ，５ｃに差し込まれるプラグ（図示せず）と、ケース３の下部に設けられた３つの延長線挿入孔１１を通ってコンセント１に接続される３本の延長線７とを、上記の電源に接続可能になっている。コンセント１に接続される延長線７は、壁面、床面又は天井に敷設してコンセント１から離れた場所まで延ばし、その先端をプラグ差込口を備えた露出コンセント等に接続することができる。
【００３９】
コンセント１のケース３の下部に見えている下部ケース４の一部の中央には、前方（図では手前側）から上記３本の延長線７を並列に嵌め入れることができる幅の凹みが設けられ、延長線７がコンセント１に接続されたときに抜け落ちないように固定するための電線挟持部９を形成している。
【００４０】
この電線挟持部９を形成する凹みの深さは、延長線７の絶縁被覆８の半径程度であり、３本の延長線７を並列に嵌め入れたときにそれぞれの延長線７の絶縁被覆８の約半分が上方（図では手前側）に突出する構成である。
【００４１】
また、電線挟持部９を形成する凹みの底部には、ケース３の下部の延長線挿入孔１１に挿入される延長線７に垂直な向きの突条部１０が設けられ、この突条部１０は、延長線７が電線挟持部９に嵌め込まれたとき、延長線７の絶縁被覆８に食い込む電線固定凸部を形成している。
【００４２】
更に、ケース３の下部ケース４の電線挟持部９の上方には、延長線挿入孔１１を通ってコンセント１に接続される延長線７を挟み込むための延長線挟持部材１２が取り付けられる。この延長線挟持部材１２は、ケース３と同じ材質の矩形の部材で、その中央には、後方から下部ケース４の電線挟持部９と等しい幅及び深さの凹みが設けられ、下部ケース４の電線挟持部９との間に延長線７を挟み込むためのもう１つの電線挟持部１３を形成している。この電線挟持部１３を形成する凹みには、下部ケース４の電線挟持部９を形成する凹みの底部に設けられた突条部１０と同様の突条を設けておくのがよい。この突条は、延長線挟持部材１２が下部ケース４に取り付けられたときに電線挟持部９の突条部１０と対向するように形成するのがよい。
【００４３】
延長線挟持部材１２の上面（図では手前側の面）の左右部分には、略円形の凹部１４が設けられ、その凹部１４の中央には、貫通孔１５が形成されている。
【００４４】
一方、下部ケース４の電線挟持部９を形成する凹みの左右部分には、延長線挟持部材１２の貫通孔１５に対応する位置に孔１６が設けられている。この孔１６は、下部ケース４を貫通し、下部ケース４の底部（図では後方の部分）に固定されるナット４０（図３）の穴に連通している。
【００４５】
従って、延長線挟持部材１２は、その貫通孔１５と下部ケース４の孔１６とに通したネジ１７を下部ケース４底部のナット４０にねじ込むことにより、下部ケース４に固定され、下部ケース４の電線挟持部９と延長線挟持部材１２の電線挟持部１３とで延長線７を挟み込む。
【００４６】
このようにして延長線挟持部材１２が下部ケース４に取り付けられたとき、３本の延長線７は、下部ケース４の電線挟持部９に設けられた突条部１０と、それに対向するように延長線挟持部材１２の電線挟持部１３に設けられた突条とが延長線７の絶縁被覆８に食い込むことによって、コンセント１から抜け落ちないように固定される。
【００４７】
この実施例の上部ケース６の前面には、上記のプラグ差込口５ａ，５ｂ，５ｃの他に、延長線７がケース３の延長線挿入孔１１を通って所定の位置まで挿入されているかどうかを目視で確認するための３つの電線確認窓１８と、延長線挿入孔１１を通ってコンセント１に接続された延長線７を引き抜くときに使用する一対のスライド部材１９ａ，１９ｂとが備えられている。
【００４８】
電線確認窓１８は、上部ケース６の前面の略中央に設けられた横長の溝２０の底部に左右に等間隔で配置された３つの孔からなり、ケース３の下部に設けられた延長線挿入孔１１を通ってコンセント１に接続された延長線７の先端部分を目視で確認できるようになっている。延長線７は、コンセント１に接続するときは、この電線確認窓１８からその先端部分が見える位置まで、ケース３の延長線挿入孔１１に挿入するのがよい。
【００４９】
スライド部材１９ａ，１９ｂは、上記の電線確認窓１８が形成された溝２０の下方で、それぞれの側部を突き合わせた状態で左右に並んで配置されており、後述（図１５，図１６）のように各部材が離れる向きにスライドさせることによって、延長線７をコンセント１から引き抜くことができる。
【００５０】
コンセント１のケース３を壁２に固定するには、一般的な埋込式コンセントを壁などに設置するときに使用するコンセント取付枠と同様の略矩形のコンセント取付枠２１を用いればよい。
【００５１】
コンセント取付枠２１の中央には、ケース３の上部ケース６が嵌合する大きさの矩形の開口２２が設けられており、この開口２２の左右の縁部には、後方に向かって垂直に曲げられた所定の幅（例えば、５ｍｍ）の突起部２３が上下に２つずつ設けられている。この突起部２３の先端部分は、開口２２の外側に向かって垂直に曲げられている。
【００５２】
下部ケース４及び上部ケース６には、コンセント取付枠２１の開口２２の左右の縁部に設けられた突起部２３に対応する位置に後述の突起部係止孔３２（図２，図３）が設けられており、ケース３の上部ケース６をコンセント取付枠２１の開口２２に嵌合させたとき、コンセント取付枠２１の開口２２の左右の縁部に形成された突起部２３が、その突起部係止孔３２に入るようになっている。
【００５３】
こうして、突起部２３は、上部ケース６がコンセント取付枠２１の開口２２に嵌め込まれたとき、下部ケース４及び上部ケース６の突起部係止孔３２を通って、各突起部２３の先端部分が突起部係止孔３２の縁部に係止される。これにより、コンセント１のケース３は、コンセント取付枠２１に固定される。
【００５４】
実施例のコンセント１は、既存の埋込式コンセントを設置するときに壁２に設けた穴を利用して設置されるため、壁２の内部には、コンセント取付枠２１の上部及び下部に設けられた横長の孔２４に対応する位置にネジ孔が設けられている。これにより、コンセント取付枠２１に固定されたコンセント１のケース３は、この横長の孔２４に通したネジ２５を壁２の内部に設けられたネジ孔にねじ込むことによって、壁２に固定される。
【００５５】
尚、実際上は、壁２の内部を通してある電源線をコンセント１に接続した後、ケース３を壁２に固定し、延長線８を接続するのがよい。
【００５６】
また、コンセント１のケース３は、上記のように壁２に設置しただけでは、図のようにコンセント取付枠２１やネジ２５などが壁２の外部に露出して美観を損なったり、ケース３に机等の設備が接触すること等があるため、美観の維持とケース３の保護とを兼ねてコンセントカバー２６で覆うことが好ましい。
【００５７】
コンセントカバー２６は、上部ケース６のプラグ差込口５ａ，５ｂ，５ｃを露出させるための矩形の開口からなる差込口露出窓２７と、ケース３の延長線挿入孔１１に挿入される延長線７が挿通可能なトンネル状の延長線挿通部２８とを備えている。コンセントカバー２６でコンセント１のケース３を覆うには、コンセント取付枠２１にコンセントコンセントカバー２６を取り付けるカバー取付枠２９を固定し、このカバー取付枠２９にコンセントカバー２６を取り付ければよい。
【００５８】
このカバー取付枠２９は、一般的な埋込式コンセントを壁などに設置するときに使用するカバー取付枠と同様に樹脂等で作られた矩形の枠体で形成され、この枠体の上部及び下部には、コンセント取付枠２１の上部に設けられた横長の孔２４の上側の部分と、コンセント取付枠２１の下部に設けられた横長の孔２４の下側の部分とに形成されたネジ孔（図示せず）に対応する位置に孔が設けられている。カバー取付枠２９は、この孔を通したネジ３０を上記のコンセント取付枠２１の上部及び下部のネジ孔にねじ込むことによって、コンセント取付枠２１に固定される。
【００５９】
また、カバー取付枠２９を形成する枠体の左右部分には、上下に等間隔で３つの細長い孔３１が設けられており、コンセントカバー２６の裏側（図では裏側）に形成されている係止爪（図示せず）がその孔３１を通って孔３１の縁部に係止されるようになっている。
【００６０】
これにより、コンセントカバー２６は、上部ケース６のプラグ差込口５ａ，５ｂ，５ｃを差込口露出窓２７から外部に露出させ、且つ、前述のように３つの延長線挿入孔１１を通ってコンセント１に接続している３本の延長線７が延長線挿通部２８の内側を通るようにして、カバー取付枠２９に取り付けられる。
【００６１】
図２は、コンセント１のケース３を上部ケース６側から見た斜視図であり、図１で説明したように絶縁被覆８に覆われた３本の延長線７が、ケース３の下部の延長線挿入孔１１を通ってコンセント１に接続された状態を示している。また、３本の延長線７は、前述の電線挟持部９及び１３によって挟持されて固定されている。尚、実際上、コンセント取付枠２１によってコンセント１のケース３を壁２に取り付けた後、延長線７が延長線挿入孔１１に挿入されるが、この図ではコンセント取付枠２１を省略してある。
【００６２】
コンセント１の下部ケース４と上部ケース６には、それぞれの左右部分にコンセント取付枠２１（図１）の開口２２の左右の縁部に形成された突起部２３に対応する位置に矩形の孔が設けられ、突起部２３の先端部分を係止するための突起部係止孔３２を形成している。この突起部係止孔３２は、上部ケース６の上部と、下部ケース４の上部及び下部に設けられ、図のように下部ケース４と上部ケース６とを組み合わせたときにそれぞれの上部側の突起部係止孔３２が連通するようになっている。
【００６３】
下部ケース４と上部ケース６は、図１のようにコンセント取付枠２１の開口２２に上部ケース６を嵌め込み、コンセント取付枠２１の突起部２３が下部ケース４及び上部ケース６の突起部係止孔３２を通って、下部ケース４の上部及び下部の突起部係止孔３２の縁部に係止されることにより、一体的に固定される。
【００６４】
図３は、コンセント１のケース３を下部ケース４側から見た外観斜視図で、壁２（図１）の内部を通って電源に接続し又はアースされている３本の電源線３３をコンセント１に接続するときの状態を示している。
【００６５】
電源線３３は、延長線８（図１）と同様に、ビニル等の絶縁被覆３４で覆われた銅線から成り、絶縁被覆３４は端から所定の長さ（例えば、１．２ｃｍ）の位置まで剥がしてある。尚、３本の電源線３３のうち１本（例えば、図では中央のもの）は、アースされている。
【００６６】
下部ケース４の裏側（図では手前側）の上部には、３本の電源線３３の各々に対して、各電源線３３を挿入するための電源線挿入孔３５ａ，３５ｂ，３５ｃ，３５ｄ，３５ｅ，３５ｆが、２つずつ設けられている。
【００６７】
この電源線挿入孔３５ａ，３５ｂ，３５ｃ，３５ｄ，３５ｅ，３５ｆは、電源線３３の絶縁被覆３４と略同径で所定の深さ（例えば、５ｍｍ）の孔３６ａ，３６ｂ，３６ｃ，３６ｄ，３６ｅ，３６ｆと、この孔３６ａ，３６ｂ，３６ｃ，３６ｄ，３６ｅ，３６ｆの底部（図では奥部）中央に設けられた電源線３３と略同径の孔（以下「電源線接続孔」という。）４１ａ，４１ｂ，４１ｃ，４１ｄ，４１ｅ，４１ｆとで構成されている。
【００６８】
尚、図のように下部ケース４の裏側上部で左右に一組ずつ上下に配置された電源線挿入孔を３５ａ，３５ｂ，３５ｃ，３５ｄ、下部ケース４の裏側中央で左右に配置された電源線挿入孔を３５ｅ，３５ｆとする。
【００６９】
上記のように、電源線挿入孔３５ａ，３５ｂ，３５ｃ，３５ｄ，３５ｅ，３５ｆを電源線３３の絶縁被覆３４と略同径の孔３６ａ，３６ｂ，３６ｃ，３６ｄ，３６ｅ，３６ｆと、電源線３３と略同径の電源線接続孔４１ａ，４１ｂ，４１ｃ，４１ｄ，４１ｅ，４１ｆとによって二段構成にすることにより、例えば、３本の電源線３３を電源線挿入孔３５ａ，３５ｃ，３５ｅにそれぞれ挿入したときは、電源線３３が電源線接続孔４１ａ，４１ｃ，４１ｅを通ってコンセント１に接続され、電源線３３の絶縁被覆３４の端部が電源線接続孔４１ａ，４１ｃ，４１ｅの周縁部に当接することになる。これにより、電源線３３は、コンセント１のケース３の外部に露出しないので、短絡したりするのを防ぐことができる。
【００７０】
また、コンセント１の下部ケース４の裏側には、２つ一組で３箇所に配置された電源線挿入孔３５ａ，３５ｂ，３５ｃ，３５ｄ，３５ｅ，３５ｆの各組に対応して、マイナス刃のねじ回しを挿入可能な矩形の孔が下部ケース４を貫通して設けられている。この孔は、マイナス刃のねじ回しを挿入することにより、コンセント１に接続された電源線３３を後述の方法（図１２）で電源線挿入孔３５から引き抜くためのねじ回し挿入孔３７ａ，３７ｂ，３７ｃを形成している。以下、下部ケース４の裏側の左右部分に配置された電源線挿入孔３５ａ，３５ｂと電源線挿入孔３５ｃ，３５ｄの各組に対応するねじ回し挿入孔を、それぞれ３７ｂ，３７ｃ、下部ケース４の裏側中央に配置された電源線挿入孔３５ｅ，３５ｆに対応するねじ回し挿入孔を３７ｃとする。尚、ねじ回し挿入孔３７ａ，３７ｂ，３７ｃは、いずれも同じ大きさ（例えば、幅１ｃｍ）である。
【００７１】
コンセント１の下部ケース４の内側には、ねじ回し挿入孔３７ａ，３７ｂ，３７ｃを塞ぐように後述の圧接部材３８ａ，３８ｂ，３８ｃ（図４）が配置され、図のようにねじ回し挿入孔３７ａ，３７ｂ，３７ｃを通して圧接部材３８ａ，３８ｂ，３８ｃの一部が見えている。
【００７２】
このようにねじ回し挿入孔３７ａ，３７ｂ，３７ｃを通して見えている圧接部材３８ａ，３８ｂ，３８ｃの一部（図では手前側の部分）は、各ねじ回し挿入孔３７ａ，３７ｂ，３７ｃが対応している電源線挿入孔３５ａ，３５ｂ，３５ｃ，３５ｄ，３５ｅ，３５ｆの反対側に向かって凸の曲面を描いている。
【００７３】
マイナス刃のねじ回しは、圧接部材３８ａ，３８ｂ，３８ｃの一部に設けられた曲面に沿ってねじ回し挿入孔３７ａ，３７ｂ，３７ｃに挿入される。これにより、圧接部材３８ａ，３８ｂ，３８ｃは、ねじ回し挿入孔３７ａ，３７ｂ，３７ｃに挿入されるマイナス刃のねじ回しに押し退けられるように、各ねじ回し挿入孔３７ａ，３７ｂ，３７ｃが対応している電源線挿入孔３５ａ，３５ｂ，３５ｃ，３５ｄ，３５ｅ，３５ｆ側に付勢される。
【００７４】
コンセント１の下部ケース４の裏側下部の左右部分には、下部ケース４の電線挟持部９の左右部分に設けられた孔１６（図１）と連通している六角形の凹部３９が形成され、この凹部３９には、電線挟持部材１２（図１）を下部ケース４に固定するためのネジ１７と噛み合うナット４０が嵌め込んで固定されている。
【００７５】
図４は、実施例のコンセント１の分解斜視図で、図の右側に位置する上部ケース６の上方には、コンセント１に接続される延長線７をコンセント１から引き抜くときに使用する後述のスライド部材１９ａ，１９ｂが配置され、下部ケース４と上部ケース６の間には、ケース３に収容されるコンセント１の構成部品を並べてある。
【００７６】
図の中央には、壁２の内部を通って電源に接続し又はアースされている電源線３３と、上部ケース６に設けられたプラグ差込口５ａ，５ｂ，５ｃから差し込まれる電気コードのプラグと、コンセント１から離れた位置に電源を供給するための延長線７とを互いに接続するための回路部４５が配置されている。
【００７７】
この回路部４５は、図の中央で上下に並べてある銅等の金属板で成型された３つの回路部材４６ａ，４６ｂ，４６ｃで構成されている。各回路部材４６ａ，４６ｂ，４６ｃの一端（図では右端）には、電気コードのプラグを接続するための真鍮等の金属板で成型されたプラグ接続端子４７ａ，４７ｂ，４７ｃが備えられ、他端（図では左端）には、延長線７を接続するための延長端子（例えば、速結端子）４８ａ，４８ｂ，４８ｃを形成する銅等の金属板で成型された速結端子部材４９ａ，４９ｂ，４９ｃが備えられている。尚、上下に３つ配置された回路部材４６ａ，４６ｂ，４６ｃは、下側の回路部材を４６ａ、真ん中の回路部材を４６ｂ、上側の回路部材を４６ｃとする。
【００７８】
回路部４５を構成する回路部材４６ａ，４６ｂ，４６ｃの両端には、所定の大きさの平面部が設けられ、上記のプラグ接続端子４７ａ，４７ｂ，４７ｃを接合するための接合部５０ａ，５０ｂ，５０ｃと、速結端子部材４９ａ，４９ｂ，４９ｃを接合するための接合部５１ａ，５１ｂ，５１ｃを形成している。
【００７９】
プラグ接続端子４７ａ，４７ｂ，４７ｃを接合するための接合部５０ａ，５０ｂ，５０ｃは、コンセント１を組み立てるときに図のように平面部が水平に位置するように形成され、速結端子部材４９ａ，４９ｂ，４９ｃを接合するための接合部５１ａ，５１ｂ，５１ｃは、平面部が鉛直になるように形成されている。
【００８０】
回路部材４６ａ，４６ｂ，４６ｃの一端に接合されたプラグ接続端子４７ａ，４７ｂ，４７ｃは、帯状の金属板を電気コードのプラグが装着可能な隙間を形成するように略Ｕ字形に折り曲げて形成してある一般的なものである。プラグ接続端子４７ａ，４７ｂ，４７ｃは、そのＵ字形の谷間の部分と回路部材４６ａ，４６ｂ，４６ｃの接合部５０ａ，５０ｂ，５０ｃとを合わせて、それぞれを貫通させたリベット５２をかしめることにより、一体的に固着すればよい。
【００８１】
図の中央に上下に並べてある３つの回路部材４６ａ，４６ｂ，４６ｃのうち下側と中央の２つの回路部材４６ａ，４６ｂは、回路部４５がコンセント１の下部ケース４に配置されたときは、回路部材４６ａが下部ケース４の右側（図では下側）部分を通るように、回路部材４６ｂが下部ケース４の左側（図では上側）部分を通るようになっており、下部ケース４の左右部分で略対称になるように形成されている。
【００８２】
もう１つの回路部材４６ｃは、回路部４５がコンセント１の下部ケース４に配置されたときは、下部ケース４の中央で上記の２つの回路部材４６ａ，４６ｂに挟まれるように位置し、３つの回路部材４６ａ，４６ｂ，４６ｃが左右に並んだ状態で下部ケース４に配置される。
【００８３】
回路部４５を構成する３つの回路部材４６ａ，４６ｂ，４６ｃには、壁２（図１）の内部を通って電源に接続し又はアースされている電源線３３を電気的に接続するための電源端子（例えば、図１０の電源端子１２１ａ，１２１ｂ，１２１ｃ，１２１ｄ，１２１ｅ，１２１ｆ）を構成する帯状の電源端子部５３ａ，５３ｂ，５３ｃ，５３ｄ，５３ｅ，５３ｆが、各回路部材４６ａ，４６ｂ，４６ｃに２つずつ所定の間隔で下方に突出するように設けられている。
【００８４】
また、回路部材４６ａ，４６ｂの電源端子部５３ａ，５３ｂ，５３ｃ，５３ｄが設けられた部分の上部には、回路部材４６ａ，４６ｂより外側、すなわち回路部材４６ａの右側（図では下側）と回路部材４６ｂの左側（図では上側）に向かって突出する所定の幅の突出部５９ａ，５９ｂが設けられ、この突出部５９ａ，５９ｂの先端が二股に分かれて２本の帯状の脚部５４ａ，５４ｂ，５４ｃ，５４ｄを形成している。この脚部５４ａ，５４ｂ，５４ｃ，５４ｄは、鉛直下方に折り曲げられ、回路部材４６ａ，４６ｂそれぞれの電源端子部５３ａ，５３ｂ，５３ｃ，５３ｄと平行になっている。
【００８５】
また、回路部材４６ａ，４６ｂに２つずつ設けられた電源端子部５３ａ，５３ｂ，５３ｃ，５３ｄの付け根の中間部分には、上記の脚部５４ａ，５４ｂ，５４ｃ，５４ｄが突出している側の反対側に僅かに突出する部分が設けられている。この突出する部分は、回路部４５が下部ケース４に配置されたときに後述の圧接部材３８ａ，３８ｂの上面に当接する当接片５５ａ，５５ｂを形成している。
【００８６】
図の中央で上側に位置している回路部材４６ｃにも、回路部材４６ａ，４６ｂの電源端子部５３ａ，５３ｂ，５３ｃ，５３ｄと同様に電源端子部５３ｅ，５３ｆが設けられている。回路部材４６ｃの電源端子部５３ｅ，５３ｆは、回路部材４６ｃの一端に接合されるプラグ接続端子４７ｃの下側で左右に（図では上下）に並んで設けられている。この電源端子部５３ｅ，５３ｆは、銅等の矩形の金属板をコ字状に折り曲げてコ字形部材９６を形成した後、このコ字形部材９６の折り曲げられた一方の部分を中央から端に向かって切り欠いて形成された二股部分からなり、この二股の電源端子部５３ｅ，５３ｆの先端を下方に向けてコ字形部材９６を回路部材４６ｃに取り付けて固定されている。
【００８７】
回路部材４６ｃの電源端子部５３ｅ，５３ｆは、プラグ接続端子４７ｃを形成するＵ字形の金属板の谷間部分と回路部材４６ｃの接合部５０ｃとを貫通させたリベット５２を、上記のようにコ字形部材９６の上面をなす部分に貫通させた後、リベット５２の先端をかしめることによって、プラグ接続端子４７ｃ及び回路部材４６ｃの接合部５０ｃと一体的に固着すればよい。
【００８８】
また、上記の電源端子部５３ｅ，５３ｆを備えたコ字形部材９６には、二股の電源端子部５３ｅ，５３ｆの股の部分から一方（図では左側）に向かって突出する突起が設けられ、上記の２つの回路部材４６ａ，４６ｂに設けられた当接片５５ａ，５５ｂと同様の当接片５５ｃが形成されている。
【００８９】
更に、コ字形部材９６の電源端子部５３ｅ，５３ｆと対向する部分は、２本の帯状の電源端子部５３ｅ，５３ｆと所定の間隔を開けて位置する平面部５６となっている。
【００９０】
回路部材４６ａ，４６ｂ，４６ｃそれぞれの一端に固着された速結端子部材４９ａ，４９ｂ，４９ｃは、略Ｔ字部材をＴ字の横長部分が鉛直になるようにし且つ縦長部分を回路部材４６ａ，４６ｂ，４６ｃ側に向けた状態で、鉛直にしたＴ字の横長部分の両側部分（以下、図では上側の部分を「Ｔ字一端部」５７ａ，５７ｂ，５７ｃ、下側の部分を「Ｔ字他端部」５８ａ，５８ｂ，５８ｃという。）が互いに水平になるように一方（図では手前側）に折り曲げて形成されている。
【００９１】
また、所定の間隔を開けて平行に位置するＴ字一端部５７ａ，５７ｂ，５７ｃとＴ字他端部５８ａ，５８ｂ，５８ｃの間の空間は、後述のバネ部材６０を取り付けるためのバネ部材取付部６１ａ，６１ｂ，６１ｃを形成している。
【００９２】
バネ部材６０とは、アルミニウム等の金属製の帯状部材（例えば、１ｍｍ厚程度のもの）を所定の位置で複数回折り曲げて形成され、一方向の力に対して反発力を生み出すための部材である。
【００９３】
バネ部材６０の構造について、図の中央で下側に位置する回路部材４６ａに接合された速結端子部材４９ａに対応して配置されているバネ部材６０を参照して説明する。バネ部材６０は、上記の帯状部材を左右に水平にした状態で略Ｕ字形をなすように一端（例えば、右端）を他端（例えば、左端）側に折り曲げた後に、この帯状部材の半分から前記一端側の部分（以下「バネ一端部」という。）６２をバネ一端部６２の半分の位置で前記他端の反対側に折り曲げ、更にバネ一端部６２の端部が下方に僅かに折り曲げられている。これによって、バネ一端部６２は、略Ｓ字形をなしている。
【００９４】
次に、帯状部材の半分から前記他端側の部分（以下「バネ他端部」という。）６３を端からバネ他端部６３の１／３の長さの位置でバネ一端部６２側に向かって４５°程度の角度で折り曲げればよい。尚、バネ部材６０を形成する帯状部材を略Ｕ字形に折り曲げるときは、バネ他端部６３をバネ一端部６２より少し長くするのがよい。
【００９５】
バネ部材６０は、アルミニウム等の塑性材料使用しているが、上記のように所定の位置で折り曲げることによって、上方（図では上方）からバネ部材６０を押し潰すような圧力が加えられたときに反発力を生み出すように弾性的に変形することが可能となる。
【００９６】
速結端子部材４９ａ，４９ｂ，４９ｃを形成する略Ｔ字部材のＴ字他端部５８ａ，５８ｂ，５８ｃは、Ｔ字の縦長部分の端部（図では右端の部分）が上方に垂直に折り曲げられ、バネ部材取付部６１ａ，６１ｂ，６１ｃに取り付けられるバネ部材６０が一方（図では右側）に移動しないようにするためのバネ部材止め部６４ａ，６４ｂ，６４ｃを形成している。
【００９７】
速結端子部材４９ａ，４９ｂ，４９ｃを形成する略Ｔ字部材のＴ字一端部５７ａ，５７ｂ，５７ｃとＴ字他端部５８ａ，５８ｂ，５８ｃの間の部分（図では鉛直な部分）には、Ｔ字他端部５８ａ，５８ｂ，５８ｃと所定の間隔（例えば、１ｍｍ）で平行になるように突起６５ａ，６５ｂ，６５ｃが設けられている。
【００９８】
速結端子部材４９ａ，４９ｂ，４９ｃを形成する略Ｔ字部材のＴ字一端部５７ａ，５７ｂ，５７ｃは、速結端子部材４９ａ，４９ｂ，４９ｃの先端（図では左端）側からＴ字一端部５７ａ，５７ｂ，５７ｃの略全幅に亘って矩形の切欠き６８ａ，６８ｂ，６８ｃが形成されている。
【００９９】
また、速結端子部材４９ａ，４９ｂ，４９ｃを形成する略Ｔ字部材の縦長部分の端部（図では右端の部分）は、回路部材４６ａ，４６ｂ，４６ｃの端（図では左端）の接合部５１ａ，５１ｂ，５１ｃをなす平面部と平行になるように手前側（図では手前側）に垂直に折り曲げられて接合部６９ａ，６９ｂ，６９ｃを形成している。
【０１００】
速結端子部材４９ａ，４９ｂ，４９ｃは、接合部６９ａ，６９ｂ，６９ｃと回路部材４６ａ，４６ｂ，４６ｃの接合部５１ａ，５１ｂ，５１ｃとを合わせて、それぞれを貫通させたリベット５２をかしめることによって一体的に固着すればよい。
【０１０１】
実施例のコンセント１では、壁２（図１）の内部を通って電源に接続し又はアースされている電源線３３（図３）を電気的に接続するための電源端子、及び壁２に設置されるコンセント１から離れた場所に電源を供給するための延長線７を電気的に接続する延長端子４８ａ，４８ｂ，４８ｃとして速結端子を採用している。
【０１０２】
電源端子に使用する速結端子（図１０）は、回路部４５を構成する３つの回路部材４６ａ，４６ｂ，４６ｃそれぞれに設けられた電源端子部５３ａ，５３ｂ，５３ｃ，５３ｄ，５３ｅ，５４ｆと、これに対向するように配置されるバネ部材６０とで構成される。
【０１０３】
延長端子４８ａ，４８ｂ，４８ｃに使用する速結端子は、回路部材４６ａ，４６ｂ，４６ｃの端に接合された速結端子部材４９ａ，４９ｂ，４９ｃと、速結端子部材４９ａ，４９ｂ，４９ｃのＴ字一端部５７ａ，５７ｂ，５７ｃとＴ字他端部５８ａ，５８ｂ，５８ｃの間のバネ部材取付部６１ａ，６１ｂ，６１ｃに取り付けられるバネ部材６０とで構成される。
【０１０４】
バネ部材６０は、１ｍｍ厚程度の金属板で形成されているため、速結端子部材４９ａ，４９ｂ，４９ｃに設けられた突起６５ａ，６５ｂ，６５ｃとＴ字他端部５８ａ，５８ｂ，５８ｃとの間の１ｍｍの間隔にバネ部材６０の一部を嵌め込むことによって、速結端子部材４９ａ，４９ｂ，４９ｃのバネ部材取付部６１ａ，６１ｂ，６１ｃに取り付けることができる。
【０１０５】
図の左側で下部ケース４の上方に位置している部品は、２つ一組で配置されている三組のバネ部材６０と、三組のバネ部材６０それぞれに対応して配置されている樹脂等で成型された３つの圧接部材３８ａ，３８ｂ，３８ｃである。
【０１０６】
この２つ一組で配置されているバネ部材６０は、水平方向の反発力を生み出すことができるように図のようにバネ他端部６３の折り曲げ部分を下にし、略Ｓ字形のバネ一端部６２側をそれぞれのバネ部材６０に対応して位置する圧接部材３８ａ，３８ｂ，３８ｃに対向させてある。
【０１０７】
三組のバネ部材６０それぞれに対応して配置された３つの圧接部材３８ａ，３８ｂ，３８ｃのうち右側（図では右側）の２つの圧接部材３８ａ，３８ｂは、略矩形の部材で形成され、図において２つの圧接部材３８ａ，３８ｂの対向している面（以下「背面」という。）の上部中央から背面下部中央及び下面に沿って帯状突起７０ａ，７０ｂが形成されている。また、この帯状突起７０ａ，７０ｂは、圧接部材３８ａ，３８ｂの背面から下面に向かって曲面を描いて連続し、先端部分が圧接部材３８ａ，３８ｂの下面から前方に僅かに突出して突起部７１ａ，７１ｂを形成している。
【０１０８】
圧接部材３８ａ，３８ｂの前面下部には、上記の突起部７１ａ，７１ｂの左右の位置で圧接部材３８ａ，３８ｂの前方に向かって小突起７２ａ，７２ｂ，７２ｃ，７２ｄが形成されている。
【０１０９】
図において上記の２つの圧接部材３８ａ，３８ｂの左側に位置している圧接部材３８ｃは、圧接部材３８ａ，３８ｂより小さい幅の略矩形の部材で形成され、圧接部材３８ａ，３８ｂと同様に背面（図では左側の面）の上部中央から下部中央及び下面に沿って帯状突起７０ｃが形成されている。この帯状突起７０ｃは、圧接部材３８ｃの背面から下面に向かって曲面を描いて連続している。
【０１１０】
次に、図の右側に配置してある上部ケース６と、延長端子４８ａ，４８ｂ，４８ｃに接続された延長線７を引き抜くときに使用する２つ一組のスライド部材１９ａ，１９ｂ及び押下部材７３について説明する。
【０１１１】
スライド部材１９ａ，１９ｂは、図４と、図４のＩ−Ｉ線に沿ったスライド部材１９ａの断面図（図５）に示すように、略矩形の部材からなるスライド板７４と、スライド板７４の一辺７５をなす部分から下方に僅かに（例えば、５ｍｍ程度）突出した位置から一辺７５の対辺７６側に向かってスライド板７４の下面と所定の間隔（例えば、２ｍｍ）を開けて延びている２本の帯状脚部７７とで構成され、弾力性及び絶縁性のある樹脂等で一体に形成されている。
【０１１２】
スライド部材１９ａ，１９ｂの２本の帯状脚部７７は、互いに所定の間隔（例えば、３ｍｍ）で平行に延びて、スライド板７４の対辺７６より僅かに突出した位置で所定の角度（例えば、４５°）で下側に折れ、所定の長さ（例えば３ｍｍ）延びた位置で折り返されてＶ字を形成している。
【０１１３】
スライド部材１９ａ，１９ｂの２本の帯状脚部７７が形成しているＶ字部分は、スライド部材１９ａ，１９ｂの対辺７６の側方からＶ字部分を押し潰すような圧力が加えられたときに反発力を生み出すためのＶ字バネ７８を形成している。
【０１１４】
また、スライド部材１９ａ，１９ｂの２本の帯状脚部７７の下面には、スライド板７４の対辺７６の真下の位置で下方に向かって１ｍｍ程度突出する矩形突起７９が形成されている。また、２本の帯状脚部７７の間には、スライド板７４の一辺７５側の下端付近から対辺７６側に向かって上方に傾斜している傾斜部８０が形成されている。
【０１１５】
コンセント１の上部ケース６の上面には、図４に示すように、上部ケース６の上面中央に設けられた溝２０の下側（図では左側）において、２つのスライド部材１９ａ，１９ｂを取り付けるための横長の矩形開口８１が形成されている。この矩形開口８１の左右（図では上下）の縁部中央は、矩形開口８１の側方に向かって略矩形に切り欠かれ、凹部８２を形成している。
【０１１６】
上部ケース６上面の矩形開口８１の左右の縁部に形成された凹部８２は、上記のスライド部材１９ａ，１９ｂの２本の帯状脚部７７の間の傾斜部８０が嵌合する幅で形成されている。
【０１１７】
上部ケース６の一方（図では左側）の面は、略全面が下方から略矩形状に切り欠かれて下部ケース４を嵌め込むための嵌合窓８３を形成している。この嵌合窓８３の内側上面には、延長線７の絶縁被覆８と略同径の３列の溝が縦（図では左右）方向に設けられ、延長線挿入孔１１を形成するための電線挿入溝８４ａ，８４ｂ，８４ｃを形成している。
【０１１８】
上部ケース６の下方に位置する押下部材７３は、樹脂等を成型した部材で、下方に向かって延びる３つの突起が等間隔で横（図では上下）に配置されている。この３つの突起は、回路部材４６ａ，４６ｂ，４６ｃに接合された速結端子部材４９ａ，４９ｂ，４９ｃのＴ字一端部５７ａ，５７ｂ，５７ｃの矩形の切欠き６８ａ，６８ｂ，６８ｃを通って、バネ部材取付部６１ａ，６１ｂ，６１ｃに取り付けられたバネ部材６０を上方から押さえ込むための押下爪８５ａ，８５ｂ，８５ｃを形成している。
【０１１９】
押下部材７３の３つの押下爪８５ａ，８５ｂ，８５ｃは、その下部に段差が設けられ、バネ部材６０のバネ他端部６３の傾斜（例えば、４５°）に対応してバネ部材６０のバネ一端部６２及びバネ他端部６３の両方の部分を偏りなく押し下げることができるようになっている。
【０１２０】
また、押下部材７３の上部には、２つのスライド部材１９ａ，１９ｂがスライド板７４の一辺７５側を互いに当接させたときの帯状脚部７７の矩形突起７９同士の間隔と同じ幅の矩形部８８が形成されている。また、この矩形部８８の左右（図では上下）部分には、スライド部材１９ａ，１９ｂの２本の帯状脚部７７の間に形成された傾斜部８０の傾斜に対応して、押下部材７３の側方に向かって上方に傾斜する傾斜突起８９が形成されている。
【０１２１】
図４の左下に位置する下部ケース４には、図の左側から見て電線挟持部９を形成する凹みの奥（図では右側）に、上部ケース６の嵌合窓８３の内側上面に形成された電線挿入溝８４ａ，８４ｂ，８４ｃと同様の３つの電線挿入溝９０ａ，９０ｂ，９０ｃが形成されている。また、下部ケース４の電線挿入溝９０ａ，９０ｂ，９０ｃの奥部（図では右端の部分）は、延長線７の絶縁被覆８より小径で延長線７が挿通可能な電線接続溝９１ａ，９１ｂ，９１ｃを形成している。
【０１２２】
下部ケース４の半分より一方（図では左側）の左右部分には、上部ケース６の嵌合窓８３に嵌合するように側壁９２が設けられている。この左右の側壁９２の間は、下部ケース４の端（図では左端）から見て，上記の電線挿入溝９０ａ，９０ｂ，９０ｃと電線接続溝９１ａ，９１ｂ，９１ｃの奥（図では右側）の部分において、２枚の仕切板９３ａ，９３ｂによって左右に三等分されている。
【０１２３】
このように三等分されてできた３つの空間は、３つの回路部材４６ａ，４６ｂ，４６ｃそれぞれの端部に接合されている延長端子４８ａ，４８ｂ，４８ｃを嵌め入れて配置するための延長端子嵌合部９４ａ，９４ｂ，９４ｃを形成している。尚、３つの延長端子嵌合部９４ａ，９４ｂ，９４ｃは、下部ケース４の右側から左側（図では下から上）に向かって９４ａ，９４ｂ，９４ｃとする。
【０１２４】
下部ケース４に設けられた延長端子嵌合部９４ａ，９４ｂ，９４ｃには、図６に示すように延長端子嵌合部９４ａ，９４ｂ，９４ｃの後方（図６では上方）を仕切るように下部ケース４の底部から所定の高さ（例えば、３ｍｍ）の小仕切９５ａ，９５ｂ，９５ｃが設けられている。
【０１２５】
これにより、延長端子嵌合部９４ａ，９４ｂ，９４ｃに延長端子４８ａ，４８ｂ，４８ｃを嵌め入れたときは、延長端子４８ａ，４８ｂ，４８ｃを形成する速結端子部材４９ａ，４９ｂ，４９ｃのＴ字他端部５８ａ，５８ｂ，５８ｃに設けられたバネ部材止め部６４ａ，６４ｂ，６４ｃが小仕切９５ａ，９５ｂ，９５ｃに当接して前後（図６では上下）に移動しないように略一体に固定された状態になる。
【０１２６】
次に、図４及び図６を参照して下部ケース４の半分より一方（図６では上）側の構造について説明する。
【０１２７】
下部ケース４の半分よりもう一方の側には、図４及び図６に示すように、上方から穴を設けるように所定の大きさの略矩形の空間１００ａ，１００ｂ，１００ｃが左右に３つ並んで形成されている。この３つの空間１００ａ，１００ｂ，１００ｃは、下部ケース４の右側に設けられた空間を１００ａ、左側の空間を１００ｂ、中央の空間を１００ｃとする。尚、下部ケース４の左右の空間１００ａ，１００ｂは、左右対称に形成されている。また、３つの空間１００ａ，１００ｂ，１００ｃは、中央の空間１００ｃを形成する略矩形の穴の左右の側壁をなす空間仕切１０１ａ，１０１ｂによって仕切られている。
【０１２８】
下部ケース４の右側の空間１００ａには、中央の空間１００ｃの右側の空間仕切１０１ａに沿って上方から圧接部材３８ａが嵌合する幅の溝が下部ケース４の底部付近まで設けられ、圧接部材３８ａが摺合可能に嵌合することができる圧接部材嵌合部１０２ａを形成している。
【０１２９】
圧接部材嵌合部１０２ａの中央には、圧接部材３８ａの帯状突起７０ａを摺合可能に嵌め込むことができる帯状陥部１０３ａが圧接部材嵌合部１０２ａと同様に上下に形成されている。また、圧接部材嵌合部１０２ａの下方には、下部ケース４の底部を貫通して形成されたねじ回し挿入孔３７ａが位置している。
【０１３０】
下部ケース４の右側の空間１００ａには、空間仕切１０１ａに対向する面において、回路部材４６ａの２本の脚部５４ａ，５４ｂが嵌合する幅の凹みが上方から設けられ、後述のように回路部材４６ａを下部ケース４に配置したときに２本の脚部５４ａ，５４ｂが摺合可能に嵌合する脚部嵌合部１０４ａを形成している。
【０１３１】
脚部嵌合部１０４ａの中央には、空間１００ａの中心に向かって突出する突起部１０５ａが形成されている。この突起部１０５ａの付け根の部分は、先端部分より少し細くなっており、回路部材４６ａの２本の脚部５４ａ，５４ｂの間に嵌合するようになっている。また、この突起部１０５ａの両側（図６では上下の側）と空間１００ａの両側（図６では上下。以下図６において下側を「前方」、上を「後方」とする。）に位置する面との間には、バネ部材６０を嵌め込むことができるようになっている。
【０１３２】
右側の空間１００ａには、回路部材４６ａが圧接部材嵌合部１０２ａの右側（図６では右側）を通るように回路部材４６ａを配置するための通路１０６ａが、空間１００ａの前後で連続するように形成されている。通路１０６ａと空間１００ａの両側の接続部分は、通路１０６ａの底部右側（図６では右側）に形成された突起１０７ａ，１０７ｂによって幅が狭められ、回路部材４６ａが配置されたときに回路部材４６ａの下方に延びる２本の帯状の電源端子部５３ａ，５３ｂ（図４）を嵌め込むための回路部材嵌合部１０８ａ，１０８ｂを形成している。
【０１３３】
右側の空間１００ａの底部には、通路１０６ａと空間１００ａの両側の接続部分のちょうど内側において、回路部材嵌合部１０８ａ，１０８ｂを形成する突起１０７ａ，１０７ｂの傍に電源線挿入孔３５ａ，３５ｂの端部をなす電源線接続孔４１ａ，４１ｂが位置している。
【０１３４】
下部ケース４の左側の空間１００ｂは、上記の右側の空間１００ａと同様に、中央の空間１００ｃの左側の空間仕切１０１ｂに沿って圧接部材嵌合部１０２ｂが形成され、その中央には圧接部材３８ｂの帯状突起７０ｂが摺合可能に嵌合する帯状陥部１０３ｂが形成されている。また、圧接部材嵌合部１０２ｂの下方には、ねじ回し挿入孔３７ｂが位置している。
【０１３５】
左側の空間１００ｂの左側（図では左側）に位置する面には、上記の圧接部材嵌合部１０２ｂ及び帯状陥部１０３ｂに対向するように脚部嵌合部１０４ｂが形成され、その中央には空間１００ｂの中心に向かって突出する突起部１０５ｂが形成されている。
【０１３６】
突起部１０５ｂの付け根部分も、右側の空間１００ａにある突起部１０５ａと同様に、回路部材４６ｂの２本の脚部５４ｃ，５４ｄの間に嵌合するように細くなっている構成である。また、この突起部１０５ｂの両側と空間１００ｂの前後に位置する面との間には、バネ部材６０を１つずつ嵌め入れることができるようになっている。
【０１３７】
左側の空間１００ｂには、回路部材４６ｂが圧接部材嵌合部１０２ｂの左側を通るように回路部材４６ｂを配置するため通路１０６ｂが、空間１００ｂの前後で連続するように設けられている。また、通路１０６ｂと空間１００ｂの前後の接続部分は、右側の空間１００ａに接続する通路１０６ａと同様に通路１０６ｂの底部左側に形成された突起１０７ｃ，１０７ｄによって幅が狭められ、回路部材４６ｂの下方に延びる２本の帯状の電源端子部５３ｃ，５３ｄ（図４）を嵌め込むための回路部材嵌合部１０８ｃ，１０８ｄを形成している。
【０１３８】
左側の空間１００ｂの底部には、通路１０６ｂと空間１００ｂの両側の接続部分のちょうど内側において、回路部材嵌合部１０８ｃ，１０８ｄを形成する突起１０７ｃ，１０７ｄの傍に電源線挿入孔３５ｃ，３５ｄの奥部に形成された電源線接続孔４１ｃ，４１ｄが位置している。
【０１３９】
右側の空間１００ａの前側に接続している通路１０６ａは、３つの延長端子嵌合部９４ａ，９４ｂ，９４ｃを仕切っている２枚の仕切板９３ａ，９３ｂのうち右側の仕切板９３ａに連結されたＬ字形の通路仕切り１０９ａに沿って案内され、右側の延長端子嵌合部９４ａに接続している。
【０１４０】
左側の空間１００ｂの前側に接続する通路１０６ｂは、３つの延長端子嵌合部９４ａ，９４ｂ，９４ｃを仕切っている２枚の仕切板９３ａ，９３ｂのうち左側の仕切板９３ｂに連結された通路仕切り１０９ｂに沿って下部ケース４の中心に向かって案内され、中央の延長端子嵌合部９４ｂに接続している。
【０１４１】
中央の空間１００ｃは、左右に位置する空間仕切１０１ａ，１０１ｂと前後に位置する仕切壁１１０ａ，１１０ｂとによって略矩形に囲われている。中央の空間１００ｃの側壁をなす空間仕切１０１ａ，１０１ｂの間隔は、回路部材４６ｃの電源端子部５３ｅ，５４ｆが形成されているコ字形部材９６（図４）と同じ幅になっている。尚、中央の空間１００ｃの前後に位置する仕切壁は、空間１００ｃの後ろ側に位置する仕切壁を１１０ａ、前側に位置する仕切壁を１１０ｂとする。
【０１４２】
中央の空間１００ｃの後ろ側に位置する仕切壁１１０ａは、中央部分が上端から下端に亘って凹んだ状態になっており、この凹みの左右に位置する面が、回路部材４６ｃの電源端子部５３ｅ，５４ｆが形成されているコ字形部材９６が嵌め込まれたときにコ字形部材９６の平面部５６と当接する空間背面１１１を形成している。
【０１４３】
上記の空間背面１１１の直前の位置には、左右の空間仕切１０１ａ，１０１ｂの中間の位置に、空間１００ｃの底部から立設する矩形の鉛直突起１１２が形成され、この鉛直突起１１２を挟んで空間１００ｃの後方部分が左右に仕切られている。この鉛直突起１１２によって仕切られた２つの部分には、バネ部材６０を１つずつ嵌め込むことができるようになっている。
【０１４４】
中央の空間１００ｃの略中心の左右部分には、下部ケース４の底部を貫通して形成された電源線挿入孔３５ｅ，３５ｆの電源線接続孔４１ｅ，４１ｆが位置している。
【０１４５】
中央の空間１００ｃは、電源線接続孔４１ｅ，４１ｆの直前（図６では下側）の位置で僅かに幅が狭くなるように左右から段差が設けられ、空間１００ｃの空間背面１１１と対向する面が左右に形成されている。このように空間１００ｃの左右に形成された２つの面は、回路部材４６ｃの電源端子部５３ｅ，５４ｆが形成されているコ字形部材９６が空間１００ｃの後方の空間背面１１１に平面部５６（図４）を摺合させながら空間１００ｃに嵌め込まれたとき、それと同時に空間１００ｃに嵌め込まれる２本の帯状の電源端子部５３ｅ，５４ｆの一部が当接する電源端子部当接面１１３ａ，１１３ｂを形成している。
【０１４６】
上記のように空間１００ｃの左右に電源端子部当接面１１３を形成するために幅が狭めらた部分の下方には、下部ケース４の底部を貫通して形成されているねじ回し挿入孔３７ｃが位置している。
【０１４７】
空間１００ｃの最前部に位置する仕切壁１１０ｂには、上方から所定の幅の溝が設けられ、圧接部材３８ｃの帯状突起７０ｃが嵌合可能な帯状陥部１０３ｃを形成している。
【０１４８】
中央の空間１００ｃの後ろ側に位置する仕切壁１１０ａの上面後方（図６では上側）には、鉛直上方に延びる平板状の突起が設けられている。回路部４５を構成する回路部材４６ａ，４６ｂが下部ケース４に配置されたときは、回路部材４６ａ，４６ｂそれぞれに接合されたプラグ接続端子４７ａ，４７ｂは、この突起の左右に配置されるようになっている。すなわち、この平板状の突起は、２つのプラグ接続端子４７ａ，４７ｂが配置されたときに互いに接触しないように仕切るための接続端子仕切板１１４を形成している。
【０１４９】
次に、実施例のコンセント１の組立方法について説明する。
【０１５０】
コンセント１を組み立てるときは、まず、図７に示すように下部ケース４の３つの空間１００ａ，１００ｂ，１００ｃそれぞれの所定の位置に、圧接部材３８ａ，３８ｂ，３８ｃを１つずつとバネ部材６０を２つずつ組み入れる。
【０１５１】
左右の空間１００ａ，１００ｂに圧接部材３８ａ，３８ｂを配置するときは、各空間１００ａ，１００ｂにおいて中央の空間１００ｃ側に位置する空間仕切１０１ａ，１０１ｂに形成された圧接部材嵌合部１０２ａ，１０２ｂに圧接部材３８ａ，３８ｂを嵌め込むようにすればよい。これにより、圧接部材３８ａ，３８ｂの帯状突起７０ａ，７０ｂが圧接部材嵌合部１０２ａ，１０２ｂの中央に設けられた帯状陥部１０３ａ，１０３ｂに嵌め込まれることになる。
【０１５２】
上記のように圧接部材３８ａ，３８ｂを圧接部材嵌合部１０２ａ，１０２ｂに嵌め込むことによって、圧接部材３８ａ，３８ｂは、それぞれの空間１００ａ，１００ｂ内で圧接部材嵌合部１０２ａ，１０２ｂの反対側に位置する突起部１０５ａ，１０５ｂと対向して位置する構成である。
【０１５３】
左右の空間１００ａ，１００ｂにバネ部材６０を配置するときは、先に配置した圧接部材３８ａ，３８ｂに対向して位置している突起部１０５ａ，１０５ｂの両側に嵌め込むようにすればよい。これによって、各圧接部材３８ａ，３８ｂと２つのバネ部材６０が、それぞれの空間１００ａ，１００ｂ内で対向して位置することになる。
【０１５４】
中央の空間１００ｃに圧接部材３８ｃを配置するときは、空間１００ｃの前側（図では左側）に設けられた帯状陥部１０３ｃに圧接部材３８ｃの帯状突起７０ｃを嵌め込むようにすればよい。
【０１５５】
中央の空間１００ｃに２つのバネ部材６０を配置するときは、空間１００ｃの後部中央に立設する鉛直突起１１２の左右両側に嵌め込むようにすればよい。これによって、圧接部材３８ｃと２つのバネ部材６０は、空間１００ｃ内で対向して位置することになる。
【０１５６】
上記のように下部ケース４に圧接部材３８ａ，３８ｂ，３８ｃとバネ部材６０を配置した後に、両端にプラグ接続端子４７ａ，４７ｂ，４７ｃと速結端子部材４９ａ，４９ｂ，４９ｃとを接合してある３つの回路部材４６ａ，４６ｂ，４６ｃを組み入れる。
【０１５７】
回路部材４６ａ，４６ｂ，４６ｃを下部ケース４に組み入れるときは、回路部材４６ａ，４６ｂ，４６ｃの一端に接合してある速結端子部材４９ａ，４９ｂ，４９ｃのそれぞれのバネ部材取付部６１ａ，６１ｂ，６１ｃにバネ部材６０を取り付けておく。
【０１５８】
速結端子部材４９ａ，４９ｂ，４９ｃのバネ部材取付部６１ａ，６１ｂ，６１ｃにバネ部材６０を取り付けるときは、速結端子部材４９ａ，４９ｂ，４９ｃのバネ部材取付部６１ａ，６１ｂ，６１ｃを形成する略Ｔ字部材のＴ字他端部５８ａ，５８ｂ，５８ｃ（図４）と、Ｔ字他端部５８ａ，５８ｂ，５８ｃと１ｍｍの間隔を開けて位置する突起６５ａ，６５ｂ，６５ｃとの間にバネ部材６０を嵌め込むようにすればよい。また、バネ部材６０は、速結端子部材４９ａ，４９ｂ，４９ｃのＴ字他端部５８ａ，５８ｂ，５８ｃの端部に設けられたバネ部材止め部６４ａ，６４ｂ，６４ｃに当接させておくのがよい。
【０１５９】
上記のように速結端子部材４９ａ，４９ｂ，４９ｃのバネ部材取付部６１ａ，６１ｂ，６１ｃにバネ部材６０を取り付けることによって、速結端子部材４９ａ，４９ｂ，４９ｃのＴ字一端部５７ａ，５７ｂ，５７ｃとバネ部材６０との間に所定の間隔（例えば、延長線７の直径の２／３程度の間隔）が形成され、延長線７を嵌入するための延長線嵌入部１２０ａ，１２０ｂ，１２０ｃとなっている。
【０１６０】
速結端子部材４９ａ，４９ｂ，４９ｃと、バネ部材取付部６１ａ，６１ｂ，６１ｃに取り付けられたバネ部材６０は、上記の延長線嵌入部１２０ａ，１２０ｂ，１２０ｃに延長線７を嵌入するだけで電気的及び物理的に接続することができる延長端子（速結端子）４８ａ，４８ｂ，４８ｃを構成する。
【０１６１】
次に、コンセント１の上部ケース６に２つ一組のスライド部材１９ａ，１９ｂを取り付ける方法について説明する。
【０１６２】
上部ケース６にスライド部材１９ａ，１９ｂを取り付けるときは、上部ケース６の上方からスライド部材１９ａ，１９ｂそれぞれの２本の帯状脚部７７を上部ケース６の矩形開口８１に通し、矩形開口８１の左右（図４では上下）の縁部をスライド部材１９ａ，１９ｂのスライド板７４と２本の帯状脚部７７との間に嵌め込むようにすればよい。
【０１６３】
上部ケース６の矩形開口８１に取り付けられた２つのスライド部材１９ａ，１９ｂは、上部ケース６の内側に位置する２本の帯状脚部７７のＶ字バネ７８が上部ケース６の内側の左右の面に圧接することによって、互いに対向する向きに付勢される構成である。
【０１６４】
スライド部材１９ａ，１９ｂを互いに離れる方向にスライドさせたときは、スライド部材１９ａ，１９ｂの２本の帯状脚部７７の間に形成された傾斜部８０（図５）が上部ケース６の矩形開口８１の左右の縁部中央に形成された凹部８２に嵌合してスライド部材１９ａ，１９ｂのスライドが停止する構成である。
【０１６５】
尚、上記のように２つのスライド部材１９ａ，１９ｂを互いに離れる向きにスライドさせたときは、スライド部材１９ａ，１９ｂそれぞれのＶ字バネ７８が押し潰された状態になり、スライド部材１９ａ，１９ｂをスライドさせるのを止めると同時にＶ字バネ７８の反発力によって、２つのスライド部材１９ａ，１９ｂは、互いに対向する向きに付勢されることになる。
【０１６６】
図８は、コンセント１の下部ケース４の３つの空間１００ａ，１００ｂ，１００ｃに圧接部材３８ａ，３８ｂ，３８ｃとバネ部材６０とを配置した状態を示す下部ケース４の平面図である。
【０１６７】
下部ケース４の左右の空間１００ａ，１００ｂに組み入れた圧接部材３８ａ，３８ｂは、圧接部材３８ａ，３８ｂの下部に設けられた突起部７１ａ，７１ｂ及び小突起７２ａ，７２ｂ，７２ｃ，７２ｄが空間１００ａ，１００ｂの底部に当接し、圧接部材嵌合部１０２ａ，１０２ｂの下方に位置するねじ回し挿入孔３７ａ，３７ｂ（図６）を覆い隠すように位置している。
【０１６８】
上記のように圧接部材３８ａ，３８ｂが圧接部材嵌合部１０２ａ，１０２ｂに嵌め込まれたときは、圧接部材３８ａ，３８ｂの帯状突起７０ａ，７０ｂに設けられた曲面（図４）は、圧接部材３８ａ，３８ｂの下端から圧接部材３８ａ，３８ｂ背面中央部付近に亘って凸になっており、圧接部材３８ａ，３８ｂの下方に位置するねじ回し挿入孔３７ａ，３７ｂを介して帯状突起７０ａ，７０ｂの曲面が見えるようになっている（図３）。
【０１６９】
また、左右の空間１００ａ，１００ｂ内に設けられた突起部１０５ａ，１０５ｂの両側に嵌め込まれているバネ部材６０は、バネ部材６０の幅の略半分が圧接部材３８ａ，３８ｂと対向して位置しており、もう一方の部分がそれぞれの空間１００ａ，１００ｂの底部で下部ケース４を貫通して形成された電源線接続孔４１ａ，４１ｂ，４１ｃ，４１ｄの略半分を覆い隠した状態になっている。
【０１７０】
中央の空間１００ｃに組み入れた圧接部材３８ｃは、左右の空間１００ａ，１００ｂに配置した圧接部材３８ａ，３８ｂより幅が小さいため、下方に位置するねじ回し挿入孔３７ｃの中央部分を前後にまたがって配置されている。尚、このとき、圧接部材３８ｃの下端部が空間１００ｃの底部に当接した状態になっている。
【０１７１】
上記のように圧接部材３８ｃがねじ回し挿入孔３７ｃにまたがるように配置されたときは、圧接部材３８ｃの帯状突起７０ｃに設けられた曲面（図４）は、圧接部材３８ｃの下端から空間１００ｃの前側に凸になっており、圧接部材３８ｃの下方に位置するねじ回し挿入孔３７ｃを介して帯状突起７０ｃの曲面が見える（図３）ようになっている。
【０１７２】
中央の空間１００ｃの後部中央に設けられた鉛直突起１１２の両側に嵌め込まれている２つのバネ部材６０は、左右の空間１００ａ，１００ｂに配置されたバネ部材６０と同様に、それぞれの略半分が圧接部材３８ｃに対向して位置し、もう一方の部分が空間１００ｃの底部で下部ケース４を貫通して形成された電源線接続孔４１ｅ，４１ｆの略半分を覆い隠した状態になっている。
【０１７３】
中央の空間１００ｃに２つのバネ部材６０を配置したときは、図のようにそれぞれのバネ部材６０後方（図では上方）と空間１００ｃの後方に位置する左右の空間背面１１１との間に隙間が形成され、この隙間に回路部材４６ｃに接合されているコ字形部材９６の平面部５６が嵌合できるようになっている。
【０１７４】
図９は、プラグ接続端子４７ａ，４７ｂ，４７ｃと延長端子４８ａ，４８ｂ，４８ｃを備えた３つの回路部材４６ａ，４６ｂ，４６ｃを下部ケース４に組み入れた状態を示す斜視図である。
【０１７５】
回路部材４６ａ，４６ｂは、回路部材４６ａ，４６ｂの突出部５９ａ，５９ｂに２本ずつ設けられた帯状の脚部５４ａ，５４ｂ，５４ｃ，５４ｄを左右の空間１００ａ，１００ｂの一方の面に設けられた脚部嵌合部１０４ａ，１０５ｂに嵌め込み、２本の脚部５４ａ，５４ｂ，５４ｃ，５４ｄが脚部嵌合部１０４ａ，１０５ｂの中央に突出する突起部１０５ａ，１０５ｂの付け根部分を挟んだ状態になっている。これと同時に、回路部材４６ａ，４６ｂの下方に２つずつ設けられた帯状の電源端子部５３ａ，５３ｂ，５３ｃ，５３ｄは、圧接部材３８ａ，３８ｂを両側から挟み込んだ状態になっている。
【０１７６】
左右の空間１００ａ，１００ｂにおいて、上記のように回路部材４６ａ，４６ｂの脚部５４ａ，５４ｂ，５４ｃ，５４ｄを脚部嵌合部１０４ａ，１０５ｂに嵌め込むことによって、回路部材４６ａ，４６ｂの突出部５９ａ，５９ｂが圧接部材３８ａ，３８ｂ及びバネ部材６０の上端に当接した状態になる。
【０１７７】
回路部材４６ａ，４６ｂは、上記のように脚部５４ａ，５４ｂ，５４ｃ，５４ｄを左右の空間１００ａ，１００ｂの脚部嵌合部１０４ａ，１０５ｂに嵌め込まれ、各空間１００ａ，１００ｂの上下に接続している通路１０６ａ，１０６ｂを通して配置されている。
【０１７８】
これによって、回路部材４６ａは、下部ケース４の右側の通路１０６ａに案内され、回路部材４６ａの端部に接合された延長端子４８ａを下部ケース４の右側に設けられた延長端子嵌合部９４ａに嵌合した状態で配置されている。
【０１７９】
同様に、回路部材４６ｂは、下部ケース４の左側の通路１０６ｂに案内され、回路部材４６ｂの端部に接合された延長端子４８ｂを下部ケース４の中央に設けられた延長端子嵌合部９４ｂに嵌合した状態で配置されている。
【０１８０】
上記のように回路部材４６ａ，４６ｂを配置することによって、回路部材４６ａ，４６ｂそれぞれの端部に接合されたプラグ接続端子４７ａ，４７ｂは、下部ケース４の後部中央、すなわち中央の空間１００ｃの後方に位置する仕切壁１１１の上面後方で鉛直に立設する接続端子仕切板１１４の左右両側に配置され、互いに接触しないようになっている。
【０１８１】
回路部４５を構成するもう１つの回路部材４６ｃは、回路部材４６ｃに接合されているコ字形部材９６の平面部５６（図４）を、中央の空間１００ｃ内に配置されたバネ部材６０と空間１００ｃの後方の空間背面１１１との間の隙間（図８）に嵌め込んだ状態で位置している。
【０１８２】
これと同時に、回路部材４６ｃに接合されているコ字形部材９６に設けられた２本の帯状の電源端子部５３ｅ，５３ｆは、空間１００ｃ内で上記の空間背面１１１と対向するように形成された電源端子部当接面１１３ａ，１１３ｂに摺合しながら空間１００ｃに嵌め込まれ、電源端子部当接面１１３ａ，１１３ｂと当接した状態になっている。
【０１８３】
このように回路部材４６ｃに接合されているコ字形部材９６が空間１００ｃに嵌め込まれたときは、コ字形部材９６に設けられた二股の電源端子部５３ｅ，５３ｆの股の部分から水平に突出させてある当接片５５ｃの下面が、圧接部材３８ｃの上端部に当接することによって、圧接部材３８ｃが上下動できないようになっている。
【０１８４】
回路部材４６ｃに接合されたプラグ接続端子４７ｃは、上記のように回路部材４６ｃに接合されたコ字形部材９６を空間１００ｃに嵌め込むことによって、図のように空間１００ｃの上方に位置している。
【０１８５】
また、回路部材４６ｃは、空間１００ｃの上方から下部ケース４の前方（図では左側）に延び、通路１０６ｂを通って配置された回路部材４６ｂの上方を通過し、回路部材４６ｃの端部に接合された延長端子４８ｃが下部ケース４の左側に設けらた延長端子嵌合部９４ｃに嵌合した状態になっている。
【０１８６】
上記のように回路部４５を構成する３つの回路部材４６ａ，４６ｂ，４６ｃが下部ケース４に配置され、それぞれの回路部材４６ａ，４６ｂ，４６ｃに接合された延長端子４８ａ，４８ｂ，４８ｃが延長端子嵌合部９４ａ，９４ｂ，９４ｃに嵌合されたときは、下部ケース４に形成された延長線挿入溝９０ａ，９０ｂ，９０ｃ及び延長線接続溝９１ａ，９１ｂ，９１ｃと、延長端子４８ａ，４８ｂ，４８ｃの延長線嵌入部１２０ａ，１２０ｂ，１２０ｃとが連通した状態になっている。
【０１８７】
また、３つの延長端子４８ａ，４８ｂ，４８ｃそれぞれを形成する速結端子部材４９ａ，４９ｂ，４９ｃの上部に位置するＴ字一端部５７ａ，５７ｂ，５７ｃに形成された矩形の切欠き６８ａ，６８ｂ，６８ｃは、上記のように延長端子４８ａ，４８ｂ，４８ｃが延長端子嵌合部９４ａ，９４ｂ，９４ｃに３つ並んで配置されることによって、押下部材７３が備える横並びの３つの押下爪８５ａ，８５ｂ，８５ｃが挿通可能な状態になっている。
【０１８８】
実施例のコンセント１の下部ケース４と上部ケース６は、押下部材７３の押下爪８５ａ，８５ｂ，８５ｃを３つの延長端子４８ａ，４８ｂ，４８ｃそれぞれの上部に位置する矩形の切欠き６８ａ，６８ｂ，６８ｃに挿入させた状態で押下部材７３を配置した後に、下部ケース４の左右の側壁９２の外側に上部ケース６の嵌合窓８３の内面が摺合するように嵌め合わせることによって一体となり、コンセント１のケース３を形成することになる。
【０１８９】
上記のように下部ケース４と上部ケース６とを組み合わせたときは、押下部材７３の上部に形成された矩形部８８の左右に設けられた傾斜突起８９は、上部ケース６に左右一組で取り付けられた２つのスライド部材１９ａ，１９ｂそれぞれが備える２本の帯状脚部７７（図５）の間に嵌り込み、スライド部材１９ａ，１９ｂの２本の帯状脚部７７の間に形成された傾斜部８０にそれぞれの傾斜面を合わせて当接する。これと同時に、押下部材７３の上部に形成された矩形部８８は、互いに一辺側を当接させて位置する２つのスライド部材１９ａ，１９ｂそれぞれの帯状脚部７７に設けられた矩形突起７９（図５）同士の間に嵌り込み、矩形部８８の上面とスライド部材１９ａ，１９ｂの帯状脚部７７の下面とが当接することになる。
【０１９０】
図１０は、コンセント１の下部ケース４に回路部４５を構成する３つの回路部材４６ａ，４６ｂ，４６ｃを配置した状態を示す平面図で、回路部材４６ａ，４６ｂ，４６ｃの配置構成を示すためにプラグ接続端子４７ａ，４７ｂ，４７ｃと２つの回路部材４６ｂ，４６ｃの一部を省略してある。また、回路部材４６ｂの２つの電源端子部５３ｃ，５３ｄと、回路部材４６ｃに接合されているコ字形部材９６（図４）に設けられた２つの電源端子部５３ｅ，５３ｆ及び平面部５６は、断面（斜線表示）を示してある。
【０１９１】
回路部材４６ａ，４６ｂそれぞれに２本ずつ設けられた帯状の電源端子部５３ａ，５３ｂ，５３ｃ，５３ｄは、図のように回路部材４６ａ，４６ｂが下部ケース４の左右の空間１００ａ，１００ｂの前後に接続している通路１０６ａ，１０６ｂを通るように配置されることによって、圧接部材３８ａ，３８ｂを両側から挟み込むように位置し、通路１０６ａ，１０６ｂと空間１００ａ，１００ｂとの接続部分に形成された回路部材嵌合部１０８ａ，１０８ｂ，１０８ｃ，１０８ｄ（図８）に嵌合した状態になっている。
【０１９２】
回路部材４６ａ，４６ｂの各々に２本ずつ設けられた帯状の電源端子部５３ａ，５３ｂ，５３ｃ，５３ｄは、上記のように回路部材嵌合部１０８ａ，１０８ｂ，１０８ｃ，１０８ｄに嵌合したときは、左右の空間１００ａ，１００ｂに２つずつ配置されたバネ部材６０と所定の間隔（例えば、電源線３３の半径程度の間隔）で対向している。
【０１９３】
このように所定の間隔を開けて配置された電源端子部５３ａ，５３ｂ，５３ｃ，５３ｄ及びバネ部材６０は、空間１００ａ，１００ｂの底部に位置する電源線接続孔４１ａ，４１ｂ，４１ｃ，４１ｄから挿入される電源線３３を接続するための電源端子１２１ａ，１２１ｂ，１２１ｃ，１２１ｄを構成している。上記の電源端子１２１ａ，１２１ｂ，１２１ｃ，１２１ｄは、電源端子部５３ａ，５３ｂ，５３ｃ，５３ｄとバネ部材６０との間隔に電源線３３を嵌め込み、バネ部材６０の反発力によって挟持して電気的及び物理的に接続することができる速結端子である。
【０１９４】
これと同時に、各回路部材４６ａ，４６ｂの帯状の電源端子部５３ａ，５３ｂ，５３ｃ，５３ｄの上部で中央の空間１００ｃ側に向かって水平に突出するように設けられた当接片５５ａ，５５ｂは、圧接部材３８ａ，３８ｂの上端部に当接した状態になっている。これにより、圧接部材３８ａ，３８ｂは、上下動できないようになっている。
【０１９５】
中央の空間１００ｃ内では、回路部材４６ｃに接合したコ字形部材９６（図４）に二股に形成された帯状の電源端子部５３ｅ，５３ｆが、圧接部材３８ｃを挟み込むように両側に位置し、圧接部材３８ｃの後方に当接して配置された２つのバネ部材６０それぞれと所定の間隔（例えば、電源線３３の半径程度の間隔）で対向している。
【０１９６】
このように所定の間隔を開けて配置された電源端子部５３ｅ，５３ｆ及びバネ部材６０は、下部ケース４の左右の空間１００ａ，１００ｂにおいて構成された電源端子１２１ａ，１２１ｂ，１２１ｃ，１２１ｄと同様に、空間１００ｃの底部に位置する電源線接続孔４１ｅ，４１ｆから挿入される電源線３３をその間隔に嵌め込んだときにバネ部材６０の反発力で挟持することによって、電源線３３を電気的及び物理的に接続することができる電源端子（速結端子）１２１ｅ，１２１ｆを構成している。
【０１９７】
図１１は、３本の電源線３３が下部ケース４の裏側から３つの電源線挿入孔３５ｂ，３５ｃ，３５ｆ（図３）及び電源線接続孔４１ｂ，４１ｃ，４１ｆを通って、電源端子１２１ｂ，１２１ｃ，１２１ｆに嵌入して接続された状態を示している。尚、電源線３３を電源端子１２１ａ，１２１ｂ，１２１ｃ，１２１ｄ，１２１ｅ，１２１ｆに接続するときは、電源線３３の絶縁被覆３４（図３）が電源線挿入孔３５ａ，３５ｂ，３５ｃ，３５ｄ，３５ｅ，３５ｆの底部で電源線接続孔４１ａ，４１ｂ，４１ｃ，４１ｄ，４１ｅ，４１ｆの周縁部に当接した状態になる。
【０１９８】
ところで、電源線３３を嵌め入れるための電源端子１２１ａ，１２１ｂ，１２１ｃ，１２１ｄ，１２１ｅ，１２１ｆの隙間は、図１０で説明したように電源線接続孔４１ａ，４１ｂ，４１ｃ，４１ｄ，４１ｅ，４１ｆの半径程度であるため。従って、この隙間の間隔より大径の３本の電源線３３を図１１に示すように３つの電源端子１２１ｂ，１２１ｃ，１２１ｆに接続したときは、それぞれの電源線３３は、電源端子１２１ｂ，１２１ｃ，１２１ｅに対向して位置しているバネ部材６０を押し退けるように電源端子１２１ｂ，１２１ｃ，１２１ｅに嵌入することになる。これによって、バネ部材６０は、図のように電源線３３に押し潰され、その反発力によって電源線３３を帯状の電源端子部５３ｂ，５３ｃ，５３ｅに向かって圧接し、電源端子１２１ｂ，１２１ｃ，１２１ｅから電源線３３が抜け落ちないように固定している。
【０１９９】
このように電源端子１２１ａ，１２１ｂ，１２１ｃ，１２１ｄ，１２１ｅ，１２１ｆに電源線３３を接続することによって、回路部材４６ａ，４６ｂ，４６ｃを介してプラグ接続端子４７ａ，４７ｂ，４７ｃと延長端子４８ａ，４８ｂ，４８ｃとを電源に接続することができる。
【０２００】
次に、上記のように電源端子１２１ｂ，１２１ｃ，１２１ｅに固定された電源線３３を電源端子１２１ｂ，１２１ｃ，１２１ｅから引き抜く方法について説明する。
【０２０１】
図１２は、下部ケース４の裏側から２つのねじ回し挿入孔３７ｂ，３７ｃにマイナス刃のねじ回し１１９を挿入した状態を示している。このようにマイナス刃のねじ回し１１９をねじ回し挿入孔３７ａ，３７ｂ，３７ｃに挿入することによって電源端子１２１ａ，１２１ｂ，１２１ｃ，１２１ｄ，１２１ｅ，１２１ｆに嵌入された電源線３３を引き抜くことができるようになっている。
【０２０２】
２つのねじ回し挿入孔３７ｂ，３７ｃの上方に位置する圧接部材３８ｂ，３８ｃの帯状突起７０ａ，７０ｂは、図４に示すように圧接部材３８ｂ，３８ｃの下面から背面に亘って曲面を描いており、図のようにマイナス刃のねじ回し１１９をねじ回し挿入孔３７ｂ，３７ｃに挿入したときは、マイナス刃のねじ回し１１９がこの曲面に沿って圧接部材３８ｂ，３８ｃの背面側に入り込むことになる。これによって、圧接部材３８ｂ，３８ｃは、対向して位置するバネ部材６０側に向かって付勢され、バネ部材６０を押し潰した状態になる。
【０２０３】
このように圧接部材３８ｂ，３８ｃがバネ部材６０を押し潰すことにより、バネ部材６０が電源線３３から離れ、電源線３３の挟持状態が解除される。これによって、電源線３３を電源端子１２１ｂ，１２１ｃ，１２１ｅから引き抜くことができるようになる。尚、右側の空間１００ａ内に形成された電源端子１２１ａから電源線３３を引き抜くときも上記と同様である。
【０２０４】
図１３は、下部ケース４と上部ケース６を上下に組み合わせて形成されているケース３の正面図で、延長線７をコンセント１の延長端子４８ａ，４８ｂ，４８ｃに接続するときに挿入する３つの延長線挿入孔１１の構成を示している。
【０２０５】
ケース３の上部ケース６には、下部ケース４と同様に電線挿入溝８４ａ，８４ｂ，８４ｃの奥部（図では奥の部分）が狭くなって延長線７と略同径の電線接続溝１２２ａ，１２２ｂ，１２２ｃが形成されている。
【０２０６】
これによって、下部ケース４と上部ケース６とを上下に組み合わせたときは、下部ケース４の電線挿入溝９０ａ，９０ｂ，９０ｃ及び電線接続溝９１ａ，９１ｂ，９１ｃと上部ケース６の電線挿入溝８４ａ，８４ｂ，８４ｃ及び電線接続溝１２２ａ，１２２ｂ，１２２ｃとが上下に組み合わさり、延長線７の絶縁被覆８より大径の孔と、延長線７と略同径の孔（以下「延長線接続孔」という。）１２３ａ，１２３ｂ，１２３ｃとで構成される３つの延長線挿入孔１１が形成されるようになっている。
【０２０７】
上記の３つの延長線挿入孔１１は、大小の孔を連続された二段構成で形成され、延長線７が電線接続孔１２３ａ，１２３ｂ，１２３ｃを通るように延長線挿入孔１１に挿入されたときは、延長線７の絶縁被覆８が延長線挿入孔１１の奥部で電線接続孔１２３ａ，１２３ｂ，１２３ｃの周縁部に当接するようになっている。
【０２０８】
また、３つの延長線挿入孔１１は、ケース３の内側で下部ケース４に配置されている３つの延長端子４８ａ，４８ｂ，４８ｃの延長線嵌入部１２０ａ，１２０ｂ，１２０ｃと連通した状態になっており、延長端子４８ａ，４８ｂ，４８ｃを構成する速結端子部材４９ａ，４９ｂ，４９ｃ（図４）のＴ字一端部５７ａ，５７ｂ，５７ｃ、バネ部材６０及び押下部材７３が有する３つの押下爪８５ａ，８５ｂ，８５ｃのそれぞれの一部が延長線挿入孔１１の奥部に形成された延長線接続孔１２３ａ，１２３ｂ，１２３ｃを通って見えるようになっている。
【０２０９】
これによって、延長線挿入孔１１に挿入される延長線７は、延長線接続孔１２３ａ，１２３ｂ，１２３ｃを通って延長端子４８ａ，４８ｂ，４８ｃの延長線嵌入部１２０ａ，１２０ｂ，１２０ｃに嵌め込まれることになる。
【０２１０】
図１４は、図２のＩＩ−ＩＩ線に沿った断面図で、コンセント１の延長端子４８ａ，４８ｂ，４８ｃの要部の構成を示すために一部を切り欠いてある。尚、ここでは３本の延長線７を省略してある。
【０２１１】
コンセント１の上部ケース６の内面には、２つのスライド部材１９ａ，１９ｂのそれぞれのＶ字バネ７８の先端部が当接する位置から上部ケース６の下端部に亘って溝が設けられ、スライド部材１９ａ，１９ｂそれぞれに２本ずつ設けられたＶ字バネ７８が嵌合することができるＶ字バネ嵌合部１２４を形成している。これにより、スライド部材１９ａ，１９ｂは、上部ケース６に取り付けられた状態で、それぞれのＶ字バネ７８の先端部が上部ケース６の内面に設けられたＶ字バネ嵌合部１２４に嵌合して位置している。
【０２１２】
また、各スライド部材１９ａ，１９ｂのＶ字バネ７８は、先端部が上記のＶ字バネ嵌合部１２４に嵌合した状態で僅かに側方から圧迫されており、その反発力によってそれぞれのスライド部材１９ａ，１９ｂを互いに対向する向きに付勢した状態になっている。
【０２１３】
また、押下部材７３は、３つの押下爪８５ａ，８５ｂ，８５ｃが押下部材７３の下方に位置する延長端子４８ａ，４８ｂ，４８ｃ上部の矩形の切欠き６８ａ，６８ｂ，６８ｃに嵌合し、バネ部材６０の上端に当接した状態で位置している。
【０２１４】
また、押下部材７３の上部の矩形部８８の左右に設けられた傾斜突起８９は、押下部材７３の上方に位置する２つのスライド部材１９ａ，１９ｂそれぞれの２本の帯状脚部７７の間に形成された傾斜部８０と互いの傾斜面を合わせて当接し、上部ケース６の上面に設けてある開口８１の左右縁部に形成された凹部８２に嵌合した状態になっている。
【０２１５】
図１５は、コンセント１の３つの延長端子４８ａ，４８ｂ，４８ｃに３本の延長線７を嵌め入れたときの状態を示す断面図である。
【０２１６】
延長端子４８ａ，４８ｂ，４８ｃの延長線嵌入部１２０ａ，１２０ｂ，１２０ｃの隙間の間隔は、図７で説明したように延長線７の直径の２／３程度に形成されているため、延長線嵌入部１２０ａ，１２０ｂ，１２０ｃそれぞれに延長線７を嵌め入れたときは、図に示すようにバネ部材６０が下方に向かって押し潰された状態になる。バネ部材６０は、その反発力で延長線７を上方に付勢し、延長端子４８ａ，４８ｂ，４８ｃを構成する速結端子部材４９ａ，４９ｂ，４９ｃの上部のＴ字一端部５７ａ，５７ｂ，５７ｃとによって延長線７を挟み込んで固定した状態になっている。
【０２１７】
また、延長線７が延長端子４８ａ，４８ｂ，４８ｃの延長線嵌入部１２０ａ，１２０ｂ，１２０ｃに嵌入してバネ部材６０を下方に押し潰すことによって、押下部材７３の押下爪８５ａ，８５ｂ，８５ｃの下端がバネ部材６０の上端に当接した状態で押下部材７３が下降し、押下部材７３の上部に設けられた矩形部８８の左右に形成された傾斜突起８９がスライド部材１９ａ，１９ｂの傾斜部８０から僅かに離れた状態になっている。
【０２１８】
延長端子４８ａ，４８ｂ，４８ｃに嵌入された延長線７を延長端子４８ａ，４８ｂ，４８ｃから引き抜くときは、まず、上部ケース６に取り付けられた２つのスライド部材１９ａ，１９ｂの間にマイナス刃のねじ回し１２５を嵌め入れる。
【０２１９】
そして、２つのスライド部材１９ａ，１９ｂの間に嵌入したマイナス刃のねじ回し１２５を９０°回転させることによって、図１６に示すように２つのスライド部材１９ａ，１９ｂは、互いに反対方向に移動し、上部ケース６の内面に形成されたＶ字バネ嵌合部１２４にそれぞれのＶ字バネ７８の先端部が嵌合した状態で、Ｖ字バネ７８を押し潰した状態になっている。
【０２２０】
このようにスライド部材１９ａ，１９ｂがそれぞれ反対方向に移動することによって、押下部材７３は、押下部材７３の傾斜突起８９がスライド部材１９ａ，１９ｂの傾斜部８０の斜面に摺合して下方に付勢されることになる。
【０２２１】
これにより、押下部材７３が有する３つの押下爪８５ａ，８５ｂ，８５ｃは、延長端子４８ａ，４８ｂ，４８ｃのバネ部材６０を上方から押し下げ、延長端子４８ａ，４８ｂ，４８ｃによる延長線７の挟持状態を解除する構成である。
【０２２２】
コンセント１の延長端子４８ａ，４８ｂ，４８ｃに接続された延長線７は、上記のようにスライド部材１９ａ，１９ｂを互いに離れる方向に移動させることによって、引き抜くことができるようになっている。
【０２２３】
また、２つのスライド部材１９ａ，１９ｂの間に嵌め入れたマイナス刃のねじ回し１２５を引き抜いたときは、スライド部材１９ａ，１９ｂが互いに反対方向に移動したために押し潰されていたＶ字バネ７８の反発力によって、スライド部材１９ａ，１９ｂは、互いに対向する向きに付勢され、それぞれの端部が当接する位置に戻ることになる。
【０２２４】
図１７は、実施例のコンセント１の使用状態を示す斜視図で、壁２に設置されたコンセント１に配置された３端子用のプラグ差込口５ａ，５ｂ，５ｃを差込口露出窓２７から露出させた状態でコンセントカバー２６がコンセント１を覆っている。また、コンセントカバー２６の下部に設けられた延長線挿通部２８には、３本の延長線７を覆って保護している電線保護具１３０が通してあり、この電線保護具１３０に覆われている３本の延長線７がコンセント１の延長線挿入孔１１を通って延長端子４８ａ，４８ｂ，４８ｃに接続されている。
【０２２５】
上記の電線保護具１３０は、樹脂等の絶縁材で形成され、延長線７を保護するために３本まとめて覆っているため、延長線７の敷設作業を容易に行うことがきるし、３本の延長線が個別に露出して絡まったり美観を損なうことを防ぐこともできる。
【０２２６】
また、コンセント１の延長端子４８ａ，４８ｂ，４８ｃに接続した延長線７を覆っている電線保護具１３０は、コンセント１から下方に延びて、電線を接続するための３つ一組の端子を三方にそれぞれ備えた回路分岐具１３１の一方の端子に接続されている。
【０２２７】
この回路分岐具１３１が備える３つ一組の端子は、コンセント１の延長端子４８ａ，４８ｂ，４８ｃと同様の速結端子からなり、回路分岐具１３１の上面（図では手前側の面）には、端子に接続した電線を引き抜くときに用いるスライド部材１３２と、電線が速結端子の所定の位置まで挿入されているかどうかを目視で確認するための電線確認窓１３３とが設けられている。電線確認窓１３３は、回路分岐具１３１の上面に設けられた溝１３４の底部に３つ並んで形成されている。
【０２２８】
上記のスライド部材１３２を用いた電線の引抜方法は、コンセント１に取り付けられているスライド部材１９ａ，１９ｂを用いる方法と同様である。また、回路分岐具１３１上面に形成された電線確認窓１３３の構成もコンセント１の電線確認窓１８と同様である。
【０２２９】
回路分岐具１３１は、上記のようにコンセント１から下方に延びている電線保護具１３０に覆われた延長線７を一方の端子に接続し、その他の２組の端子それぞれには、電線保護具１３０に覆われた電線が接続されている。このように、コンセント１の延長端子４８ａ，４８ｂ，４８ｃに接続してある延長線７を回路分岐具１３１によって二手に分岐させることにより、コンセント１の設置位置から離れた二箇所に電源を供給することができる。
【０２３０】
また、電線保護具１３０の側面には、ＬＡＮケーブルや同軸ケーブル等の電線を嵌め込むことができる電線嵌合溝１３５が形成されており、この電線嵌合溝１３５にＬＡＮケーブル等を嵌め入れることによって、複数種類の電線をまとめて壁２の表面、床面又は天井などに敷設することができる。これにより、複数の電線が露出したり、互いに絡み合ったりして美観を損なうことを防止することができる。
【０２３１】
本発明のコンセント１は、壁２にケース３を埋め込むように設置されるため、図に示すように壁２の表面からの突出量が僅か（例えば、２ｃｍ）になっている。これにより、壁面等から５ｃｍ以上も突出する従来の露出コンセントのように美観を損なったり、机等の設備の配置の妨げになったりしない状態で延長線７を介してコンセント１から離れた場所に電源を供給することができる。
【０２３２】
図１８は、延長線７を覆って保護するための電線保護具１３０の斜視図で、電線保護具１３０が略矩形の上カバー部材１３６と下カバー部材１３７の間に３本の延長線７を挟み込んだ状態で上下に組み合わされて形成されていることを示している。
【０２３３】
電線保護具１３０を形成する略矩形の上カバー部材１３６と下カバー部材１３７それぞれの一方の面の左右部分には、全長に亘って溝１３８が設けられ、上記のように上カバー部材１３６と下カバー部材１３７とを組み合わせることによって、上カバー部材１３６と下カバー部材１３７それぞれの溝１３８が上下に組み合さり、ＬＡＮケーブル等を嵌め入れることができる電線嵌合溝１３５を形成する構成になっている。従って、電線保護具１３０の電線嵌合溝１３５は、図のように電線保護具１３０の両側で全長に亘って形成されることになる。
【０２３４】
以上、本発明の実施例について説明したが、本発明はこれに限られるものではない。例えば、本発明のコンセントは、壁だけではなく天井、床又は柱等に所定の位置まで埋め込んで設置することもできる。
【０２３５】
また、実施例のコンセント１は、３端子用のプラグ接続端子４７ａ，４７ｂ，４７ｃが一組備えられているが、複数の電気機器に対応してプラグ接続端子４７ａ，４７ｂ，４７ｃを複数組備えるようにしてもよい。
【０２３６】
実施例のコンセント１では、電源端子１２１ａ，１２１ｂ，１２１ｃ，１２１ｄ，１２１ｅ，１２１ｆ、プラグ接続端子４７ａ，４７ｂ，４７ｃ、及び延長端子４８ａ，４８ｂ，４８ｃは、それぞれがアース用の端子を含んでいるために３つ一組で設けられているが、これに限られるものではない。例えば、プラグ接続端子及び延長端子には、アース用の端子を設けないようにすることもできる。
【０２３７】
実施例のコンセント１では、電源端子１２１ａ，１２１ｂ，１２１ｃ，１２１ｄ，１２１ｅ，１２１ｆ、プラグ接続端子４７ａ，４７ｂ，４７ｃ、及び延長端子４８ａ，４８ｂ，４８ｃは、回路部材４６ａ，４６ｂ，４６ｃによって互いに電気的に接続されているが、これに限られるものではない。例えば、本発明のコンセントは、電源端子と延長端子とこれらを互いに接続する回路部（例えば、回路部材）とを備えるようにしてもよいし、又はプラグ接続端子と延長端子とこれらを互いに接続する回路部（例えば、回路部材）とを備えるようにしてもよい。いずれの場合においても、美観を維持し且つ設備等の邪魔にならないように壁などに埋め込んで設置することができる。
【０２３８】
上記の電源端子と延長端子とこれらを互いに接続する回路部とを備えたコンセントは、壁などの内部を通してある電源線が電源端子に接続された状態で壁などに埋め込むように設置され、延長端子に延長線が接続されたときは、この延長線を前記電源に電気的に接続することができる。尚、実施例のコンセント１と同様に延長線が挿通可能な延長線挿通部を備えたコンセントカバーによって覆うのがよい。
【０２３９】
また、上記のプラグ接続端子と延長端子とこれらを互いに接続する回路部とを備えたコンセントは、壁などに埋め込むように設置され、電源に接続されている延長線が延長端子に接続されたときは、プラグ接続端子に接続されるプラグを介して電気機器に電源を供給することができる。このコンセントも実施例と同様のコンセントカバーによって覆うのがよい。
【０２４０】
実施例では、コンセント１は、既設の埋込式コンセントが設置されていた穴にケース３を埋め込んで設置されるが、これに限られるものではない。コンセント１は、壁、床、天井又は柱などの任意の位置にコンセント１のケース３が嵌合する大きさの穴を開けて、その穴にケース３を嵌め入れるようにして設置するようにしてもよい。尚、その穴の中に、コンセント取付枠２１の上部及び下部に設けられている横長の孔２４に対応するネジ孔を設けておくのがよい。これにより、コンセント１は、上記の穴にケース３を嵌合させ、コンセント取付枠２１の孔２４に通したネジ２５を穴の中に設けたネジ孔にねじ込むことによって、設置される。
【図面の簡単な説明】
【図１】本発明の実施例のコンセントを壁に設置した状態を示す斜視図。
【図２】実施例のコンセントのケースを上部ケース側から見た斜視図。
【図３】実施例のコンセントのケースを下部ケース側から見た斜視図。
【図４】実施例のコンセントの分解斜視図。
【図５】図４のＩ−Ｉ線に沿ったスライド部材の断面図。
【図６】実施例のコンセントの下部ケースの平面図。
【図７】実施例のコンセントの下部ケースに圧接部材とバネ部材とを配置した状態を示す斜視図。
【図８】図７の下部ケースの平面図。
【図９】下部ケースにプラグ接続端子、延長端子及び回路部材を配置した状態を示す斜視図。
【図１０】図９の下部ケースの平面図。
【図１１】電源線が電源線挿入孔を通って電源端子に接続された状態を示す下部ケースの平面図。
【図１２】マイナス刃のねじ回しをねじ回し挿入孔に挿入した状態を示す下部ケースの平面図。
【図１３】コンセントのケースの正面図。
【図１４】図２のＩＩ−ＩＩ線に沿ったケースの断面図。
【図１５】延長端子に延長線を接続した状態を示すケースの断面図。
【図１６】スライド部材の間に差し込んだマイナス刃のねじ回しを９０°回転させた状態を示すケースの断面図。
【図１７】実施例のコンセントの使用状態を示す斜視図。
【図１８】電線保護具の斜視図。
【符号の説明】
１…コンセント、２…壁、３…ケース、４…下部ケース、５ａ，５ｂ，５ｃ…プラグ差込口、６…上部ケース、７…延長線、８，３４…絶縁被覆、９，１３…電線挟持部、１０…突条部、１１…延長線挿入孔、１２…延長線挟持部材、１４，３９…凹部、１５，１６，２４，３１…孔、１７，２５，３０…ネジ、１８，１３３…電線確認窓、１９ａ，１９ｂ，１３２…スライド部材、２０，１３４…溝、２１…コンセント取付枠、２２…開口、２３，７１ａ，７１ｂ…突起部、２６…コンセントカバー、２７…差込口露出窓、２８…延長線挿通部、２９…カバー取付枠、３２…突起部係止孔、３３…電源線、３５ａ，３５ｂ，３５ｃ，３５ｄ，３５ｅ，３５ｆ…電源線挿入孔、３６ａ，３６ｂ，３６ｃ，３６ｄ，３６ｅ，３６ｆ…電源線接続孔、３７ａ，３７ｂ，３７ｃ…ねじ回し挿入孔、３８ａ，３８ｂ，３８ｃ…圧接部材、４０…ナット、４１ａ，４１ｂ，４１ｃ，４１ｄ，４１ｅ，４１ｆ…電源線接続孔、４５…回路部、４６ａ，４６ｂ，４６ｃ…回路部材、４７ａ，４７ｂ，４７ｃ…プラグ接続端子、４８ａ，４８ｂ，４８ｃ…延長端子、４９ａ，４９ｂ，４９ｃ…速結端子部材、５０ａ，５０ｂ，５０ｃ，５１ａ，５１ｂ，５１ｃ，６９ａ，６９ｂ，６９ｃ…接合部、５２…リベット、５３ａ，５３ｂ，５３ｃ，５３ｄ，５３ｅ，５３ｆ…電源端子部、５４ａ，５４ｂ，５４ｃ，５４ｄ…脚部、５５ａ，５５ｂ，５５ｃ…当接片、５６…平面部、５７ａ，５７ｂ，５７ｃ…Ｔ字一端部、５８ａ，５８ｂ，５８ｃ…Ｔ字他端部、５９ａ，５９ｂ…突出部、６０…バネ部材、６１ａ，６１ｂ，６１ｃバネ部材取付部、６２…バネ一端部、６３…バネ他端部、６４ａ，６４ｂ，６４ｃ…バネ部材止め部、６５ａ，６５ｂ，６５ｃ…突起、６８ａ，６８ｂ，６８ｃ…切欠き、７０ａ，７０ｂ，７０ｃ…帯状突起、７２ａ，７２ｂ，７２ｃ，７２ｄ…小突起、７３…押下部材、７４…スライド板、７５…一辺、７６…対辺、７７…帯状脚部、７８…Ｖ字バネ、７９…矩形突起、８０…傾斜部、８１…矩形開口、８２…凹部、８３…嵌合窓、８４ａ，８４ｂ，８４ｃ，９０ａ，９０ｂ，９０ｃ…電線挿入溝、８５ａ，８５ｂ，８５ｃ…押下爪、８８…矩形部、８９…傾斜突起、９１ａ，９１ｂ，９１ｃ，１２２ａ，１２２ｂ，１２２ｃ…電線接続溝、９２…側壁、９３ａ，９３ｂ…仕切板、９４ａ，９４ｂ，９４ｃ…延長端子嵌合部、９５ａ，９５ｂ，９５ｃ…小仕切、９６…コ字形部材、１００ａ，１００ｂ，１００ｃ…空間、１０１ａ，１０１ｂ…空間仕切、１０２ａ，１０２ｂ…圧接部材嵌合部、１０３ａ，１０３ｂ，１０３ｃ…帯状陥部、１０４ａ，１０４ｂ…脚部嵌合部、１０５ａ，１０５ｂ…突起部、１０６ａ，１０６ｂ…通路、１０７ａ，１０７ｂ，１０７ｃ，１０７ｄ…突起、１０８ａ，１０８ｂ，１０８ｃ，１０８ｄ…回路部材嵌合部、１０９ａ，１０９ｂ…通路仕切り、１１０ａ，１１０ｂ…仕切壁、１１１…空間背面、１１２…鉛直突起、１１３ａ，１１３ｂ…電源端子部当接面、１１４…接続端子仕切板、１１９，１２５…マイナス刃のねじ回し、１２０ａ，１２０ｂ，１２０ｃ…延長線嵌入部、１２１ａ，１２１ｂ，１２１ｃ，１２１ｄ，１２１ｅ，１２１ｆ…電源端子、１２３ａ，１２３ｂ，１２３ｃ…延長線接続孔、１２４…Ｖ字バネ嵌合部、１３０…電線保護具、１３１…回路分岐具、１３５…電線嵌合溝、１３６…上カバー部材、１３７…下カバー部材１３７。
【図１】
2005019355.tif 000003
【図２】
2005019355.tif 000004
【図３】
2005019355.tif 000005
【図４】
2005019355.tif 000006
【図５】
2005019355.tif 000007
【図６】
2005019355.tif 000008
【図７】
2005019355.tif 000009
【図８】
2005019355.tif 000010
【図９】
2005019355.tif 000011
【図１０】
2005019355.tif 000012
【図１１】
2005019355.tif 000013
【図１２】
2005019355.tif 000014
【図１３】
2005019355.tif 000015
【図１４】
2005019355.tif 000016
【図１５】
2005019355.tif 000017
【図１６】
2005019355.tif 000018
【図１７】
2005019355.tif 000019
【図１８】
2005019355.tif 000020